【事件の表示】
　特許第２７４３１５５号「充電装置及び充電処理システム」の請求項１ないし１９に係る特許に対する特許異議の申立てについて、次のとおり決定する。
【結　論】
　訂正を認める。
　特許第２７４３１５５号の請求項１ないし１９に係る特許を維持する。
【理　由】
Ｉ．手続の経緯
　特許出願　　　　　　　　　　　　平成　７年　６月１６日
　設定登録　　　　　　　　　　　　平成１０年　２月　６日
　　　　　　　　　　　　　　　　（特許第２７４３１５５号）
　特許公報発行　　　　　　　　　　平成１０年　４月２２日
　特許異議の申立て　　　　　　　　平成１０年１０月２２日
　　　　　　　　　　　　　　　（申立人：日本電池株式会社）
　取消理由通知　　　　　　　　　　平成１０年　９月　１日
　意見書、訂正請求書　　　　　　　平成１１年１１月２２日
　訂正拒絶理由通知　　　　　　　　平成１２年　７月１４日
　手続補正書（訂正請求書）　　　　平成１２年　７月２６日
　
II．訂正の要旨
１．訂正請求に対する補正の適否について
　平成１２年７月２６日付けの「手続補正書（訂正請求書）」による補正は、
（１）平成１１年１１月２２日付けの訂正請求書に添付された訂正明細書の記載のうち、特許請求の範囲の請求項１，２，６（２箇所），７（２箇所）、８及び１８に「当該二次電池の出力電圧低下状況を測定することなく」とあるのを「（待ち時間中に当該二次電池の出力電圧低下状況を測定する場合を除く）」（請求項１，２，８及び１８）ないしは「（停止中に当該二次電池の出力電圧低下状況を測定する場合を除く）」（請求項６及び７）に補正すると共に、該記載の位置を各請求項の記載に合わせて補正し、さらに、
（２）上記補正事項（１）に整合するように上記訂正請求書の「訂正の原因」の記載を補正するものである。
　上記補正事項（１）は、二次電池に対する「充電電流の供給を停止」ないしは「充電操作を停止」している時期には「二次電池の出力電圧低下状況を測定」している場合が含まれないことをいわゆる「除くクレーム」の表現で明確にしたものであり、補正前と訂正の内容は実質的に同一であるから、上記補正事項（１）及び（２）は、訂正請求書の要旨を変更するものではなく、特許法第１２０条の４第３項において準用する同法第１３１条第２項の規定に適合する。
２．訂正の内容
　平成１１年１１月２２日付けの訂正請求書（平成１２年７月２６日付けの「手続補正書（訂正請求書）」により補正された事項も含む。）における訂正の要旨は次のとおりである。
２．１　訂正事項ａ
　特許明細書の特許請求の範囲の【請求項１】に、
（１）「当該二次電池に対して所定の量の電流値を有する電流を用いて充電処理を実行し、」（特許公報１欄３〜４行）とあるのを、「当該二次電池に対して、２Ｃ若しくはそれ以上の所定の量の高速充電電流値を有する電流を用いて充電処理を実行し、」に訂正し、
（２）「当該二次電池に関して実質的に充電終了を示す状態になる迄上記操作を繰り返す様に構成すると共に、上記各充電操作が繰り返される間に所定の待ち時間が挿入されるものである」（同公報１欄１２〜１５行）とあるのを「当該二次電池に関する予め定められた所定の状態が検出されるか否かの判断を行い、当該二次電池に関して実質的に充電終了を示す状態になる迄、上記操作を繰り返す様に構成すると共に、前の充電処理操作の終了時点と上記した充電電流の低減操作とそれに続く当該低減電流による次の充電処理操作の開始時点との間に、当該二次電池内の電極部に発生した分極状態を解消せしめる為に必要な短時間の間、当該二次電池に対する充電電流の供給を停止させる為の待ち時間が挿入される（待ち時間中に当該二次電池の出力電圧低下状況を測定する場合を除く）ものである」に訂正する。
２．２　訂正事項ｂ
　特許明細書の特許請求の範囲の【請求項２】に、
（１）「当該二次電池に対して所定の量の電流値を有する第１の電流を用いて充電処理を実行する第１の期間」（同公報２欄３〜５行）とあるのを、「当該二次電池に対して２Ｃ若しくはそれ以上の所定の量の高速充電電流値を有する第１の電流を用いて充電処理を実行する第１の期間、」に訂正し、
（２）「当該各操作期間の間に所定の待ち時間が挿入されるものである」（同公報３欄３〜４行）とあるのを「上記した充電電流の低減操作と当該充電電流による充電操作に基づくその後の充電操作が繰り返される間に、当該充電電流量を切換えるに際して、当該二次電池内の電極部に発生した分極状態を解消する処理を実行する為に必要な短時間の間、当該二次電池に対する充電電流の供給を停止させる為の待ち時間が挿入される（待ち時間中に当該二次電池の出力電圧低下状況を測定する場合を除く）ものである」に訂正する。
２．３　訂正事項ｃ
　特許明細書の特許請求の範囲の【請求項４】に、
（１）「当該二次電池に対して所定の量の電流値を有する電流を用いて充電処理を実行し、」（特許公報３欄９〜１０行）とあるのを、「当該二次電池に対して２Ｃ若しくはそれ以上の所定の量の高速充電電流値を有する電流を用いて充電処理を実行し、」に訂正し、
（２）「且つ必要に応じて該第２の工程が繰り返されて当該充電処理操作の総停止回数が、前記第１と第２の工程に於ける当該充電操作の総停止回数を含めて予め定められた所定の回数（Ｍ）に到達した場合に、当該二次電池が、実質的に充電が完了したと見なして該充電操作を終了させる」（同公報３欄１８〜２２行）とあるのを「且つ必要に応じて該第２の工程が必要回数繰り返されて前記第１の工程に於ける充電操作の停止回数を含めて、当該充電操作の総停止回数が、予め定められた所定の回数（Ｍ）に到達した場合に、当該二次電池が、実質的に充電が完了したと見なして該充電操作を完全に終了させる」に訂正する。
２．４　訂正事項ｄ
　特許明細書の特許請求の範囲の【請求項６】に、
（１）「当該二次電池に対して所定の量の電流値を有する電流を用いて充電処理を実行し、」（特許公報３欄２９〜３０行）とあるのを、「当該二次電池に対して２Ｃ若しくはそれ以上の所定の量の高速充電電流値を有する電流を用いて充電処理を実行し、」に訂正し、
（２）「一旦当該充電操作を停止する第１の工程と」（同公報３欄３２〜３３行）及び「当該充電操作を停止する第２の工程」（同公報３欄３７行）とあるのをそれぞれ「一旦当該充電操作を短時間停止する（停止中に当該二次電池の出力電圧低下状況を測定する場合を除く）第１の工程と、」及び「当該充電操作を短時間停止する（停止中に当該二次電池の出力電圧低下状況を測定する場合を除く）第２の工程」に訂正する。
２．５　訂正事項ｅ
　特許明細書の特許請求の範囲の【請求項７】に、
（１）「当該二次電池に対して所定の量の電流値を有する電流を用いて充電処理を実行し、」（特許公報３欄４３〜４４行）とあるのを、「当該二次電池に対して２Ｃ若しくはそれ以上の所定の量の高速充電電流値を有する電流を用いて充電処理を実行し、」に訂正し、
（２）「一旦充電操作を停止し、」（同公報３欄４６行）及び「再度充電処理を実行すると言う工程を繰り返すに際し、当該所定の量の電流値を有する電流を用いて充電処理を開始してから充電操作が停止されるまでの時間を計測し、」（同公報３欄４８行〜４欄１行）とあるのをそれぞれ「一旦充電操作を当該二次電池内の電極部に発生した分極状態を解消せしめる為に必要な短時間だけ停止し（停止中に当該二次電池の出力電圧低下状況を測定する場合を除く）、」及び「再度充電処理を実行し、該充電工程に於いて、当該二次電池に関する予め定められた所定の状態が再度検出された場合には、当該充電操作を、当該二次電池内の電極部に発生した分極状態を解消せしめる為に必要な短時間だけ停止する（停止中に当該二次電池の出力電圧低下状況を測定する場合を除く）第２の工程とを繰り返すに際し、当該所定の量の電流値を有する電流を用いて充電処理を開始してから充電操作が短時間停止されるまでの時間を計測し、」に訂正する。
２．６　訂正事項ｆ
　特許明細書の特許請求の範囲の【請求項８】に、
（１）「制御手段と当該充電端子に供給される電流の量を変化させる操作を実行する際に」（同公報４欄１３〜１４行）とあるのを「制御手段と、当該二次電池に関する予め定められた所定の状態が検出された毎に、当該充電端子に当初供給される２Ｃ若しくはそれ以上の所定の量の高速充電電流量を逐次変化させる操作を実行する際に、」に訂正し、
（２）「予め定められた所定の待ち時間を挿入する」（同公報４欄１４〜１５行）とあるのを「当該二次電池内の電極部に発生した分極状態を解消せしめる為に必要な短時間だけ当該二次電池に対する充電電流の供給を停止させる為の待ち時間を挿入する（待ち時間中に当該二次電池の出力電圧低下測定する場合を除く）」に訂正する。
２．７　訂正事項ｇ
　特許明細書の特許請求の範囲の【請求項１８】に、
（１）「二次電池を充電するに際し、」（同公報５欄１１行）とあるのを「２Ｃ若しくはそれ以上の所定の量の高速充電電流値を使用して二次電池を充電するに際し、」に訂正し、
（２）「前記設定された追加充電時間が経過したら」（同公報５欄３０〜３１行）とあるのを「係る操作を当該二次電池に関して実質的に充電終了を示す状態になる迄繰り返す工程、当該一の充電処理操作とそれに続く当該充電処理操作とのの間に当該二次電池の電極部に発生した分極状態を解消せしめる為に必要な短時間の間、当該二次電池に対する充電電流の供給を停止させる為の待ち時間を挿入する（待ち時間中に当該二次電池の出力電圧低下状況を測定する場合を除く）工程、及び、前記設定された追加充電時間が経過したら」に訂正する。
２．８　訂正事項ｈ
　特許明細書の特許請求の範囲の【請求項１９】に、
（１）「二次電池を充電する方法に於いて、」（同公報５欄３４〜３５行）とあるのを「２Ｃ若しくはそれ以上の所定の量の高速充電電流値を使用して二次電池を充電する方法に於いて、」に訂正し、
（２）「所定の時間毎に充電電流の供給を停止しその時点に於ける当該二次電池の電池電圧を測定して当該二次電池の電池電圧値の収斂値を予測し、」（同公報５欄３８〜４１行）とあるのを「所定の時間毎、或いは当該二次電池に関する予め定められた所定の状態が検出された時点毎に、充電電流の供給を停止し、その時点及び当該時点から極短時間後の時点に於ける当該二次電池の電池電圧を測定して当該二次電池の電池電圧値の収斂値を予測し、」に訂正する。
　
III．訂正の適否に対する判断
１．訂正の目的、新規事項、拡張・変更
１．１　上記訂正事項ａ〜ｈの（１）について
　上記訂正事項ａ〜ｈの（１）は、訂正前には最初の充電処理操作に於ける充電電流値の大きさについては何も限定されていなかったものを、「２Ｃ若しくはそれ以上」の充電電流値で行うものに限定するものであるから、特許請求の範囲の減縮に該当する。
　そして、特許明細書の段落【００３７】には「本発明においては、係る最初の充電処理操作に於いて、予め定められた所定の量の電流値、例えば４Ｃの充電電流量を採用した場合には、・・・」（特許公報１３欄５０行〜１４欄２行）と記載され、同じく【００４５】には「例えば、２Ｃ、１Ｃ、０．５Ｃ、０．２５Ｃの様にするか、４Ｃ、３Ｃ、２Ｃ、１Ｃの様にしても良く、４Ｃ、３Ｃ、１Ｃ、０．２５Ｃの様にしても良い。・・（中略）・・図２は、充電時間が３３分で、３Ｃ、１Ｃ、０．８Ｃとステップ状に充電電流をダウンさせながら繰り返し３回の充電処理操作を行ったものであり、・・・」（同公報１５欄３３行〜４０行）と記載されており、最初の充電処理操作に於ける充電電流値は全て２Ｃ以上であったことは明らかであるから、上記訂正事項ａ〜ｈの（１）は、願書に添付した明細書又は図面に記載した事項の範囲内のものであり、かつ実質上特許請求の範囲を拡張し又は変更するものでもない。
１．２　訂正事項ａ、ｂ及びｄ〜ｇの（２）について
　上記訂正事項ａ、ｂ及びｆの（２）は、訂正前には「所定の待ち時間」はどの程度の時間であるのか及びその「所定の待ち時間」中に如何なる操作を行うのかについては何も限定されていなかったものを、「所定の待ち時間」が「二次電池の電極部に発生した分極状態」を解消するのに必要な「短時間」の間であると限定し、さらに、その「所定の待ち時間」中には「充電電流の供給を停止」するが「二次電池の出力電圧低下状況を測定する場合を除く」ものに限定するものであるから、特許請求の範囲の減縮に該当する。
　訂正事項ｄ及びｅの（２）は、訂正前には「充電操作を停止」する時間がどの程度の時間であるか及びその「充電操作を停止」する時間中に如何なる操作を行うかについては何も限定されていなかったものを、「充電操作を停止する」時間が「短時間」（訂正事項ｄの（２））ないしは「二次電池の電極部に発生した分極状態を解消せしめる為に必要な短時間」（訂正事項ｅの（２））であると限定し、さらに、その「充電操作を停止」する時間中に「二次電池の出力電圧低下状況を測定する場合を除く」ものに限定するものであるから、特許請求の範囲の減縮に該当する。
　上記訂正事項ｇの（２）は、訂正前には「設定された追加充電時間」中に行われる「再充電処理操作」の具体的内容については何も限定されていなかったものを「係る操作を当該二次電池に関して実質的に充電終了を示す状態になる迄繰り返す工程、当該一の充電処理操作とそれに続く当該充電処理操作とのの間に当該二次電池の電極部に発生した分極状態を解消せしめる為に必要な短時間の間、当該二次電池に対する充電電流の供給を停止させる為の待ち時間を挿入する（待ち時間中に当該二次電池の出力電圧低下状況を測定する場合を除く）工程」であることを限定するものであるから、特許請求の範囲の減縮に該当する。
　そして、特許明細書の段落【００５２】（特許公報１７欄１６〜２１行）には「本発明に於ける充電処理システムに於いては、上記各期間に於いて一旦或る期間い（「期間に」の誤記と認める。）於いて充電処理操作が一旦停止されて、次の期間に移る際に、充電電流の電流量つまりＣレートをステップダウンさせてから次の操作期間に移行するが、その際に、前の操作期間から次の操作期間に移る間に所定の待ち時間が挿入される事が望ましい。これは、通常上記充電処理操作を行うと二次電池の電極に分極が発生し、当該二次電池の出力電圧が実際の真の電圧値よりも高めになっている事が多いので、内部分極を取り除き出力電圧を安定化させてから当該出力電圧を測定する事が必要である。係る待ち時間としては、例えば固定的に設定する事ができ、例えば数秒とする事が出来る。」と記載され、さらに段落【０１０４】〜【０１０８】（同公報２８欄３８行〜２９欄４２行）には、充電中の二次電池の電圧と分極による過電圧との関係、分極による過電圧の性質等が示され、待ち時間として「６０秒」を採用した例も（段落【０１１３】（同公報３０欄３５〜４４行）、【０１１９】（同公報３１欄２２〜３１行）参照）も記載されているし、さらに、待ち時間の間には特に二次電池の起電力を測定することおよび該測定値を利用して所定の処理操作をすることは行われていないから、上記訂正事項ａ、ｂ及びｄ〜ｇの（２）は、いずれも願書に添付した明細書又は図面に記載した事項の範囲内のものであり、かつ実質上特許請求の範囲を拡張し又は変更するものでもない。
１．３　訂正事項ｃの（２）について
　上記訂正事項ｃの（２）は、訂正前には「第２の工程」をどの程度繰り返すかについては示されていなかったものを「必要回数」繰り返すものであることを明らかにし、さらに、「充電操作の停止」「充電操作の終了」との区別を明確にするために、充電操作の総停止回数（Ｍ）が所定回数に達したときは「充電操作を完全に終了させる」ものであることを明らかにしたものであるから、明りょうでない記載の釈明に該当し、また、願書に添付した明細書又は図面に記載した事項の範囲内のものであり、かつ実質上特許請求の範囲を拡張し又は変更するものでもない。
１．４　訂正事項ｈの（２）について
　特許明細書の段落【０１０８】〜【０１１０】（特許公報２９欄３０行〜３０欄１６行）には、「本発明に於いては、例えば充電処理操作終了時点の時刻ｔ０時点の時刻と該時刻ｔ０から数秒、例えば５秒経過した時刻ｔ１に於ける二次電池の各電圧値を測定し、その電圧値の低下率を演算した上で、公知の統計的手法を用いて時刻ｔ２に於ける電圧値を予測し、その予測値を以て、当該二次電池の充電量を算出する様にしたものである。」（同公報２９欄３６〜４２行）及び「尚、上記した二次電池の充電量の正確な測定方法は、上記した本発明に係る充電処理操作が一旦停止され、新たな充電量を有する充電電流が設定されて再度充電処理操作が開始される間に実行される例として説明されているが、上記二次電池の充電量の測定方法は、上記した具体例に限定されるものではなく、一般的な充電処理操作が実行されている如何なる時点においても、実行させることが可能である。」（同公報２９欄４９行〜３０欄６行）との記載に続けて、「つまり、上記した本発明に係る充電処理操作を含む充電処理操作に於いて、充電量を測定するに際しては、その測定時点で一旦充電電流を遮断した上で、上記した様に少なくとも２点、好ましくは３点で当該二次電池の出力電圧を測定して、その傾斜を算出し、その収斂値を予測するものである。より具体的には、該充電処理操作を実行している間に予め定められた所定の時間間隔毎に、上記の測定と収斂値を予測するための演算処理とを繰り返し実行し、二次電池の充電量の予測値の制度（「精度」の誤記と認める。）を向上するようにしても良い。」（同公報３０欄７〜１６行）との記載があることから、訂正前の「所定時間毎」は「所定の時間間隔毎」以外に「本発明に係る充電処理操作が一旦停止される毎」を包含するものであったことは明らかである。
　一方、例えば特許明細書の段落【００３７】（同公報１３欄５０行〜１４欄１７行）には「本発明に於いては、係る最初の充電処理操作に於いて、予め定められた所定の量の電流値、例えば４Ｃの充電電流量を採用した場合には、前記したプレピーク若しくは疑似ピークが検出された時点に於いて、一旦充電処理操作を中断する。・・（中略）・・可能である。」と記載され、同じく段落【００４０】（同公報１４欄３５〜４４行）には「本発明に於いては、係る最初の充電処理操作に於いて、予め定められた所定の状態に到達したか否かを簡便的に判断する方法としては、例えば、各充電処理操作時に於いて、当該二次電池の出力電圧が、予め定められた所定の電圧に到達した場合か否かを検出して判断する事も可能である。つまり、各充電処理操作時に於いて、予め該二次電池の出力電圧が、例えば４．２Ｖになった場合には、前記した予め定められた所定の状態に到達したと判断して充電処理操作を停止させる様にしても良い。」と記載されていたように、本発明では「二次電池の所定の状態が検出される毎」に「充電電流の供給を停止」するものであることが記載されていたから、上記「本発明に係る充電処理操作が一旦停止される毎」は「二次電池の所定の状態が検出される毎」を意味するものであったことは明らかである。
　また、「充電電流の供給を停止し、その時点及び当該時点から極短時間後の時点に於ける当該二次電池の電池電圧を測定して当該二次電池の収斂値を予測」することは上記段落【０１０８】（同公報２９欄３０〜４２行）に示されている。
　してみると、上記訂正事項ｈの（２）は、訂正前の「所定時間毎」の技術的意味を明確にすると共に、収斂予測電池電圧値の求め方を限定したものであるから、明りょうでない記載の釈明及び特許請求の範囲の減縮に該当し、また、願書に添付した明細書又は図面に記載した事項の範囲内のものであり、かつ実質上特許請求の範囲を拡張し又は変更するものでもない。
２．独立特許要件
２．１　訂正明細書に記載された発明
　訂正請求書に添付された全文訂正明細書の特許請求の範囲の請求項１〜１９の記載は次のとおりである。
　【請求項１】　二次電池の充電特性を検出しながら二次電池を充電するに際し、当該二次電池に対して、２Ｃ若しくはそれ以上の所定の量の高速充電電流値を有する電流を用いて充電処理を実行し、当該二次電池に関する予め定められた所定の状態が検出された場合には、当該二次電池に対して前記所定の量の電流値よりも少ない量の電流値を有する電流を用いて再度充電処理を実行し、その後、当該二次電池に関する予め定められた所定の状態が検出された場合には、当該二次電池に対して、その直前の充電処理に於いて使用された前記所定の量の電流値よりも更に少ない量の電流値を有する電流を用いて再度充電処理を実行し、当該二次電池に関する予め定められた所定の状態が検出されるか否かの判断を行い、当該二次電池に関して実質的に充電終了を示す状態になる迄、上記操作を繰り返す様に構成すると共に、前の充電処理操作の終了時点と上記した充電電流の低減操作とそれに続く当該低減電流による次の充電処理操作の開始時点との間に、当該二次電池内の電極部に発生した分極状態を解消せしめる為に必要な短時間の間、当該二次電池に対する充電電流の供給を停止させる為の待ち時間が挿入される（待ち時間中に当該二次電池の出力電圧低下状況を測定する場合を除く）ものである事を特徴とする充電処理システム。
　【請求項２】　二次電池の充電特性を検出しながら二次電池を充電するに際し、当該二次電池に対して２Ｃ若しくはそれ以上の所定の量の高速充電電流値を有する第１の電流を用いて充電処理を実行する第１の期間、該第１の期間に於いて、当該二次電池に関する予め定められた所定の状態が検出された場合には、当該二次電池に対して前記第１の電流の所定の量の電流値よりも少ない量の電流値を有する第２の電流を用いて再度充電処理を実行する第２の期間、該第２の期間に於いて、当該二次電池に関する予め定められた所定の状態が検出された場合には、当該二次電池に対して前記第２の電流の電流値よりも更に少ない量の電流値を有する第３の電流を用いて再度充電処理を実行する第３の期間、及び当該二次電池に関して充電終了を示す状態になる迄、前回に使用された所定の量の電流値よりも少ない量の電流値を有する電流を用いて、上記第３の期間の操作が繰り返えされる第４の期間とから構成されていると共に、上記した充電電流の低減操作と当該充電電流による充電操作に基づくその後の充電操作が繰り返される間に、当該充電電流量を切換えるに際して、当該二次電池内の電極部に発生した分極状態を解消する処理を実行する為に必要な短時間の間、当該二次電池に対する充電電流の供給を停止させる為の待ち時間が挿入される（待ち時間中に当該二次電池の出力電圧低下状況を測定する場合を除く）ものである事を特徴とする充電処理システム。
　【請求項３】　当該二次電池は、一つのセル若しくは複数個のセルが組み合わされて構成されている事を特徴とする請求項１又は２記載の充電処理システム。
　【請求項４】　二次電池の充電特性を検出しながら二次電池を充電するに際し、当該二次電池に対して２Ｃ若しくはそれ以上の所定の量の高速充電電流値を有する電流を用いて充電処理を実行し、該充電工程に於いて、当該二次電池に関する予め定められた所定の状態が検出された場合には、一旦当該充電操作を短時間停止する第１の工程と、当該二次電池に対して前記充電電流の所定の量の電流値よりも少ない量の電流値を用いて再度充電処理を実行し、該充電工程に於いて、当該二次電池に関する予め定められた所定の状態が検出された場合には、当該充電操作を短時間停止する第２の工程とを含み、且つ必要に応じて該第２の工程が必要回数繰り返されて前記第１の工程に於ける充電操作の停止回数を含めて、当該充電操作の総停止回数が、予め定められた所定の回数（Ｍ）に到達した場合に、当該二次電池が、実質的に充電が完了したと見なして該充電操作を完全に終了させる事を特徴とする充電処理システム。
　【請求項５】　当該充電操作の総停止回数に関して、予め定められた所定の回数（Ｍ）は、２又はそれ以上の整数である事を特徴とする請求項４記載の充電処理システム。
　【請求項６】　二次電池の充電特性を検出しながら二次電池を充電するに際し、当該二次電池に対して２Ｃ若しくはそれ以上の所定の量の高速充電電流値を有する電流を用いて充電処理を実行し、該充電工程に於いて、当該二次電池に関る予め定められた所定の状態が検出された場合には、一旦当該充電操作を短時間停止する（停止中に当該二次電池の出力電圧低下状況を測定する場合を除く）第１の工程と、当該二次電池に対して前記充電電流の所定の量の電流値よりも少ない量の電流値を用いて再度充電処理を実行し、該充電工程に於いて、当該二次電池に関する予め定められた所定の状態が検出された場合には、当該充電操作を短時間停止する（停止中に当該二次電池の出力電圧低下状況を測定する場合を除く）第２の工程とを含み、且つ必要に応じて該第２の工程が繰り返されて、充電電流の量が予め定められた所定の電流量以下になった場合に当該二次電池が、実質的に充電が完了したと見なして該充電操作を終了させる事を特徴とする充電処理システム。
　【請求項７】　当該二次電池に対して２Ｃ若しくはそれ以上の所定の量の高速充電電流値を有する電流を用いて充電処理を実行し、当該二次電池に関する予め定められた所定の状態が検出された場合には、一旦充電操作を当該二次電池内の電極部に発生した分極状態を解消せしめる為に必要な短時間だけ停止し（停止中に当該二次電池の出力電圧低下状況を測定する場合を除く）、当該二次電池に対して前記所定の量の電流値よりも少ない量の電流値を有する電流を用いて再度充電処理を実行し、該充電工程に於いて、当該二次電池に関する予め定められた所定の状態が再度検出された場合には、当該充電操作を、当該二次電池内の電極部に発生した分極状態を解消せしめる為に必要な短時間だけ停止する（停止中に当該二次電池の出力電圧低下状況を測定する場合を除く）第２の工程とを繰り返すに際し、当該所定の量の電流値を有する電流を用いて充電処理を開始してから充電操作が短時間停止されるまでの時間を計測し、当該時間が、予め定められた所定の時間を経過しても当該充電操作が完全に停止されない場合には、その時点で当該充電操作を終了させる事を特徴とする請求項１乃至６の何れかに記載の充電処理システム。
　【請求項８】　二次電池に対する充電端子、該二次電池の充電特性を検出する充電特性を検出手段、当該充電端子に接続され、且つ所定の電流源に接続された電流量調整手段、該検出手段と該電流量調整手段とに接続され、該検出手段から出力される当該二次電池に関する予め定められた所定の状態を示す検出信号、に応答して、当該充電端子に供給される電流を停止させるか、当該充電端子に供給される電流の電流量を変化させる様に該電流量調整手段を制御する制御手段と、当該二次電池に関する予め定められた所定の状態が検出された毎に、当該充電端子に当初供給される２Ｃ若しくはそれ以上の所定の量の高速充電電流量を逐次変化させる操作を実行する際に、当該二次電池内の電極部に発生した分極状態を解消せしめる為に必要な短時間だけ当該二次電池に対する充電電流の供給を停止させる為の待ち時間を挿入する（待ち時間中に当該二次電池の出力電圧低下測定する場合を除く）待ち時間挿入手段とから構成されている事を特徴とする二次電池充電装置。
　【請求項９】　当該二次電池充電装置に於ける該制御手段には、更に計時手段とタイマー手段とが含まれている事を特徴とする請求項８記載の二次電池充電装置。
　【請求項１０】　当該二次電池の充電特性を検出する充電特性を検出手段には、当該二次電池の出力電圧、当該二次電池の表面温度、若しくは充電電流量の中から選択された少なくとも一つを検出する手段が含まれている事を特徴とする求項８又は９に記載の二次電池充電装置。
　【請求項１１】　当該制御手段は、該検出手段からの充電特性検出信号に応答して当該充電端子に供給される電流の電流量を変化させる場合には、新規に設される充電電流の電流量を前回に於いて使用された充電電流の電流量よりも少ない値に設定する機能を有するものである事を特徴とする請求項８乃至１０の何れかに記載の二次電池充電装置。
　【請求項１２】　該タイマー手段は、所定の電流量の充電電流による充電操作が一旦停止され、前記所定の電流量の充電電流よりも少ない電流量の充電電流による充電操作が再開される迄の間に所定の待ち時間を挿入させるものである事を特徴とする請求項９記載の二次電池充電装置。
　【請求項１３】　該タイマー手段は、所定の電流量の充電電流による充電操作が開始されてから以後の充電処理経過時間を制限するものである事を特徴とする請求項９記載の二次電池充電装置。
　【請求項１４】　所定の電流源は、複数個の個別電源を有している事を特徴とする請求項８乃至１３の何れかに記載の二次電池充電装置。
　【請求項１５】　所定の電流源は、プログラマブル電源で構成されている事を特徴とする請求項８記載の二次電池充電装置。
　【請求項１６】　所定の電流源は、固定された単一の電源で構成され、パルス電流のデューティー比を制御する事により、充電電流の電流量が調整されるものである事を特徴とする請求項８乃至１５記載の二次電池充電装置。
　【請求項１７】　当該二次電池が、複数個のセルが組み合わされて構成されている場合、該複数個の各セルは互いに同一の公称規格容量を有するセルで構成されており、且つ各セルの内少なくとも一つのセルは、他のセルとは異なる残留容量、異なる充放電特性を有するものである事を特徴とする請求項３記載の充電処理システム。
　【請求項１８】　二次電池の充電特性を検出しながら２Ｃ若しくはそれ以上の所定の量の高速充電電流値を使用して二次電池を充電するに際し、当該二次電池の電池電圧を測定する工程、当該二次電池の電池電圧が所定の電圧値以下である場合には、未活性フラグを立てた後に所定の量の電流値を有する電流を用いて充電処理操作を開始する工程、当該二次電池に関する予め定められた所定の状態が検出された場合には、当該充電処理操作を終了する工程、当該充電処理操作を終了後、未活性フラグが立っているか否かを判断する工程、未活性フラグが立っている場合には、充電時間が予め定められた必要充電時間に対する所定の割合以内であるか否かを判断する工程、充電時間が予め定められた必要充電時間に対する所定の割合以内でない場合に、当該二次電池の充電量が所定の充電量以下か否かを判断する工程、充電時間が予め定められた必要充電時間に対する所定の割合以内であるか、当該二次電池の充電量が所定の充電量以下かである場合には、所定の追加充電時間を設定する工程、追加充電時間に於いて使用される充電電流の電流量を前記した充電処理操作に於いて使用された充電電流の電流量よりも小さい充電電流の電流量を持つ予め定められた所定の値に設定して再充電処理操作を開始する工程、係る操作を当該二次電池に関して実質的に充電終了を示す状態になる迄繰り返す工程、当該一の充電処理操作とそれに続く当該充電処理操作との間に当該二次電池の電極部に発生した分極状態を解消せしめる為に必要な短時間の間、当該二次電池に対する充電電流の供給を停止させる為の待ち時間を挿入する（待ち時間中に当該二次電池の出力電圧低下状況を測定する場合を除く）工程、及び、前記設定された追加充電時間が経過したら充電処理操作を終了する工程とから構成されている事を特徴とする二次電池の活性化システム。
　【請求項１９】　二次電池の充電特性を検出しながら２Ｃ若しくはそれ以上の所定の量の高速充電電流値を使用して二次電池を充電する充電方法に於いて、当該二次電池の電池電圧を測定して当該二次電池の充電量を決定するに際し、当該二次電池に対して所定の量の電流値を有する電流を用いて充電処理を実行し、所定の時間毎、或いは当該二次電池に関する予め定められた所定の状態が検出された時点毎に、充電電流の供給を停止し、その時点及び当該時点から極短時間後の時点に於ける当該二次電池の電池電圧を測定して当該二次電池の電池電圧値の収斂値を予測し、当該収斂予測電池電圧値に基づいて当該二次電池の充電量を決定する事を特徴とする二次電池に於ける充電量決定システム。
（以下、各請求項に係る発明を順に「本件訂正発明１」〜「本件訂正発明１９」という。）
２．２　取消理由の概要
　当審における取消理由の概要は、次のとおりである。
　本件特許明細書の請求項１〜１９に係る発明は、下記引用例１に記載された発明であるか、或いは下記引用例１〜７に記載された発明に基いて当業者が容易に発明をすることができたものであるから、該発明の特許は特許法第２９条第１項又は同条第２項の規定に違反してなされたものである。
　　　　　　　　　　　　　　　　記
　　１．特開平　６−３２５７９５号公報　（甲第１号証に該当）
　　２．特開平　１−１４４３３０号公報　（甲第２号証に該当）
　　３．特開平　５−　１３１０８号公報　（甲第３号証に該当）
　　４．特開平　６−　９８４７２号公報　（甲第４号証に該当）
　　５．特公昭５６−　　１０２５号公報　（甲第５号証に該当）
　　６．特開平　４−２４４７４０号公報　（甲第６号証に該当）
　　７．特開平　５−２８３１１０号公報　（甲第７号証に該当）
２．３　各引用例の記載
２．３．１　引用例１
　上記引用例１には、「２次電池の充電方法および装置並びに２次電池装置」に関し、
(1-1)【請求項１】
　「２次電池を定電流で充電し、前記２次電池の充電電圧を検出し、前記２次電池の充電電圧が所定の電圧に達したとき、前記定電流の前記２次電池への供給を間欠的に行い、前記定電流を供給していない状態における前記２次電池の充電電圧が、所定の基準電圧になったとき、充電を停止することを特徴とする２次電池の充電方法。」、
(1-2)【請求項２】
　「２次電池を定電流で充電し、前記２次電池の充電電圧を検出し、前記２次電池の充電電圧が所定の電圧に達したとき、前記定電流の前記２次電池への供給を間欠的に行い、前記定電流を供給していない状態における前記２次電池の充電電圧が、所定の基準電圧になったとき、さらに所定の時間が経過した後、充電を停止することを特徴とする２次電池の充電方法。」、
(1-3)【請求項３】
　「２次電池を定電流で充電し、前記２次電池の充電電圧を検出し、前記２次電池の充電電圧が所定の電圧に達したとき、前記定電流の前記２次電池への供給を間欠的に行い、前記定電流を実質的に供給していない状態における前記２次電池の充電電圧、充電中における前記２次電池の充電電圧と前記定電流を実質的に供給していない状態における前記２次電池の充電電圧との差、および前記定電流を実質的に供給していない状態における前記２次電池の充電電圧と所定の基準電圧との差のうちの少なくともいずれか１つが所定の値になったとき、充電を停止することを特徴とする２次電池の充電方法。」、
(1-4)【請求項１１】
　「２次電池を定電流で充電する定電流充電手段と、前記２次電池の充電電圧を検出する検出手段と、前記２次電池の充電電圧が所定の電圧に達したとき、前記定電流を間欠的に前記２次電池へ供給させる供給手段と、前記定電流を供給していない状態における前記２次電池の充電電圧が、所定の基準電圧になったとき、充電を停止させる停止手段とを備えることを特徴とする２次電池の充電装置。」
(1-5)【請求項１２】
　「２次電池を定電流で充電する定電流充電手段と、前記２次電池の充電電圧を検出する検出手段と、前記２次電池の充電電圧が所定の電圧に達したとき、前記定電流を間欠的に前記２次電池へ供給させる供給手段と、前記定電流を供給していない状態における前記２次電池の充電電圧が、所定の基準電圧になったとき、さらに所定の時間が経過した後、充電を停止させる停止手段とを備えることを特徴とする２次電池の充電装置。」、
(1-6)【請求項１３】
　「２次電池を定電流で充電する定電流充電手段と、前記２次電池の充電電圧を検出する検出手段と、前記２次電池の充電電圧が所定の電圧に達したとき、前記定電流を間欠的に前記２次電池へ供給させる供給手段と、前記定電流を実質的に供給していない状態における前記２次電池の充電電圧、充電中における前記２次電池の充電電圧と前記定電流を実質的に供給していない状態における前記２次電池の充電電圧との差、および前記定電流を実質的に供給していない状態における前記２次電池の充電電圧と所定の基準電圧との差のうちの少なくともいずれか１つが所定の値になったとき、充電を停止する停止手段とを備えることを特徴とする２次電池の充電装置。」、
(1-7)７欄【００２２】
　「図５は、このように定電流による充電を間欠的に行った場合における、バッテリ１１の端子電圧Ｖの変化を表している。同図に示すように、定電流による充電を行っている期間、バッテリ１１の端子電圧Ｖは徐々に増大する。しかしながら、充電を停止すると、バッテリ１１の端子電圧は、バッテリの内部の化学変化の安定化に伴い徐々に低下し、所定の時間経過するとほぼ一定の電圧に安定する。電圧検出回路３６は、充電を停止した期間において、この安定した電圧△Ｖ３、充電期間における端子電圧と、充電を停止した期間における安定した電圧△Ｖ３との差△Ｖ１、または充電を停止した期間における安定した電圧△Ｖ３と、満充電電圧Ｖ０との差△Ｖ２、の３つの電圧（電位差）のうち、少なくともいずれか１つを検出する。」、
との記載がある。
２．３．２　引用例２
　上記引用例２には、「密閉型鉛蓄電池の充電方法」に関し、
(2-1)１頁左下欄、特許請求の範囲
　「充電電圧がある一定値に達した場合、充電電流を予め決めたパターンに従って階段状に減衰させ、かつこの充電電流の減衰比が０．５以上０．９以下であり、又、階段状の充電電流を流し始めてから３０分以内に充電を終了あるいは微少電流による充電に入る事を特徴とする密閉型鉛蓄電池の充電方法。」、
(2-2)１頁右下欄２〜４行
　「急速充電を行う場合問題となるのは、充電末期のガス発生を抑えながら充電電気量を確保する点にある。」、
との記載がある。
２．３．３　引用例３
　上記引用例３には、「二次電池」に関し、
(3-1)１欄１１〜１３行【産業状の利用分野】
　「本発明は、ポータブルＶＴＲ等に使用する二次電池、特により短時間での充電を行う為の二次電池に関する。」、
との記載があるほか、
(3-2)３頁の図２には、定電流充電の後、同一の定電流値で間欠充電を行う例が示されている。
２．３．４　引用例４
　上記引用例４には、「充電方法」に関し、
(4-1)１頁【要約】
　「【目的】本発明は、こうした充電器の大型化、コストアップ及び信頼性低下と、二次電池の信頼性低下及び性能劣化を招くことなく、非水系二次電池の急速充電を行うことを目的とする。
　【構成】本発明の充電方法は、被充電電池の電池電圧が第１の電圧に達するまでの定電流充電または準定電流充電と、前記電池電圧が前記第１の電圧から第２の電圧に低下するまでの充電休止とを繰り返し行い、前記充電休止の期間が所定値以上になると、前記第２の電圧で定電圧充電を行うものである。」、
との記載があるほか、
(4-2)６頁の図３には、定電流充電の後、同一の定電流値で間欠充電を行い、その後、低電圧充電を行う例が示されている。
２．３．５　引用例５
　上記引用例５には、「蓄電池の残存容量表示装置」に関し、
(5-1)３欄３１行〜４欄２行
　「この充電末期の状態について詳しく説明すると、充電が進行するに伴ない、充電電流が減少してくると、整流出力電圧が上昇し、その結果、整流出力電圧はトランジスタＴＲ１がオンとなる電圧に到達する。トランジスタＴＲ１がオン状態となり、その結果トランジスタＴＲ２，ＴＲ３がオフとなり、充電電流が流れなくなると、蓄電池１６の端子電圧が低下する。そして次の脈流電圧が印加されると、再び充電電流が流れる。このようなサイクルが繰り返されることにより、脈流の変化に応じ充電電流は断続的に流れるようになる。充電がさらに進行していくと、充電電流が流れなくなっても蓄電池１６の端子電圧はすぐに低下せず、したがって次の充電電流が流れるまでの時間の間隔が長くなり、充電末期はパルス状充電電流が流れるサイクルが極めて延びてくることになる。」、
との記載があるほか、
(5-2)４頁の４図には、定電流充電の後、電流を段階的に減じながら間欠充電を行う例が、示されている。
２．３．６　引用例６
　上記引用例６には、「充電装置」に関し、
(6-1)５欄【００２１】
　「ところで、上述の場合には電池１が満充電された場合には完全に電池１の充電を停止していたが、電池１を急速充電する場合においては、電池１の充電完了後に補充電、即ち電流値の低い細流電流の充電を行って、完全に定格の容量まで電池を充電することが好ましい。そこで、電池１を急速充電した場合における充電完了後に、トランジスタＱ１を制御回路３によりオン，オフさせることにより、トランジスタＱ２をオン，オフされて、補充電を行うようにすることもできる。なお、このようにパルス状の電流で電池１を充電しても、電池１の充電は平均電流で行われるので問題はない。また、上記細流電流の値は図２（ａ）に示すように徐々（実施例の場合には段階的）に減少させることができる。この場合にはオン，オフの比率を可変して、第２（ｂ）に示すように制御端子Ｃのハイ，ローの比率を可変すればよい。」、
との記載があるほか、
(6-2)５頁の図２には、定電流充電の後に、同一の定電流値で間欠的に定電流充電を行って、平均電流値が段階的に減少するようになした例が示されている。
２．３．７　引用例７
　上記引用例７には、「充電装置」に関し、
(7-1)１欄【請求項１】
　「二次電池の充電特性に応じて該二次電池に充電する充電手段と、その充電特性に応じて充電状態を監視する充電状態監視手段と、該充電状態監視手段における充電状態監視結果からその二次電池の充電状態を出力する手段とを有する充電装置。」、
(7-2)１欄【請求項２】
　「上記二次電池はリチウム系の二次電池であり、上記充電状態監視手段は所定の充電電圧に到達するまで上記二次電池の電圧を監視し、その後上記二次電池の電流を監視し、上記充電状態を出力する手段は、上記充電電圧が所定の電圧に到達したときその状態を出力し、その後その二次電池の電流値に応じた充電状態を出力する請求項１記載の充電装置。」、
(7-3)１欄【請求項３】
　「上記充電状態監視手段は所定の充電電圧に到達するまで上記二次電池の電圧を監視し、上記充電手段は充電を瞬断させながら上記二次電池に充電し、上記充電状態監視手段は瞬断時における上記二次電池の電圧の低下量を監視し、上記充電状態を出力する手段は上記充電電圧が所定の電圧に到達したときその状態を出力し、その後その二次電池の上記電圧低下量に基づいて上記二次電池の充電状態を出力する請求項２記載の充電装置。」、
(7-4)６欄【００２２】
　「図６はリチウム電池の他の充電特性を示す図である。図６はバッテリ充電電圧Ｖｂが充飽和電圧ＶＳＡＴ２に到達した時間ｔ１以降において、リチウム電池７１に充電電流をオフにすると、その時の充電電流の大きさに応じたバッテリ充電電圧Ｖｂの低下が起こることを示している。たとえば、リチウム電池７１の充電電流をオフにしたとき、時間ｔ１の直後におけるバッテリ充電電流Ｉｂが大きいときのバッテリ充電電圧Ｖｂの飽和電圧ＶＳＡＴ２からの落ち込み量Ｖ１は、その後の時間におけるバッテリ充電電流Ｉｂの大きさが低下したときの飽和電圧ＶＳＡＴ２からの落ち込み量Ｖ２よりも多い。図４に示したマイクロコンピュータ３０は、時間ｔ１まではバッテリ充電電圧Ｖｂを監視し、その後、充電電流をオフにしたときのバッテリ充電電圧Ｖｂの低下量を識別することにより、リチウム電池７１の充電状態を判別する。」、
(7-5)６欄〜７欄【００２３】〜【００２４】
　「図７は図６に示した充電特性に基づくリチウム電池７１の充電状態監視動作を示すフローチャートである。
　ステップＳ３１〜Ｓ３３：図５に示したステップＳ１１〜Ｓ１２と同様である。
　ステップＳ３４〜Ｓ３６：マイクロコンピュータ３０は図６に示す時間ｔ１の経過後、まずその時のバッテリ充電電圧Ｖｂを入力する（ステップＳ３４）。通常、この電圧は飽和電圧ＶＳＡＴ２である。マイクロコンピュータ３０は、制御用トランジスタ２５を瞬断させて、リチウム電池７１への充電を瞬間的に停止させ、充電電流がオフになるようにする。この充電電流がオフの間、マイクロコンピュータ３０はバッテリ充電電圧Ｖｂを入力する。その直後、マイクロコンピュータ３０は制御用トランジスタ２５をオンにしてリチウム電池７１への充電を再開させる（ステップＳ３５，Ｓ３６）。
　ステップＳ３７，Ｓ３８：マイクロコンピュータ３０は制御用トランジスタ２５をオフにする直前のバッテリ充電電圧Ｖｂと直後のバッテリ充電電圧Ｖｂとの電圧差を検出して、電圧の落ち込み量（低下量）を検出する（ステップＳ３７）。マイクロコンピュータ３０はその電圧落ち込み量の大きさを事前に記憶している値と比較して、その電圧差に応じたリチウム電池７１の充電状態を判別し、ＬＥＤ表示部１５内の対応するＬＥＤを点灯させる（ステップＳ３８）。これにて、ＬＥＤ表示部１５にはリチウム電池７１の充電状態に応じたＬＥＤが点灯する。
　ステップＳ３９：マイクロコンピュータ３０は所定時間、遅延する。この遅延動作は充電電流をオフして上記のように電圧差を検出する動作を規定する周期の時間だけ遅延するものである。
　ステップＳ４０：マイクロコンピュータ３０は上記動作を、リチウム電池７１への充電が終了すると判断されるまで反復して行う。」、
との記載がある。
２．４　対比・判断
２．４．１　本件訂正発明１〜３，６〜１８について
　本件訂正発明１〜３，６〜１８は、二次電池の充電特性を検出しながら二次電池を充電するに際し、当該二次電池に対して、２Ｃ若しくはそれ以上の所定の量の高速充電電流値を用いて充電処理を実行し、当該二次電池に関する予め定められた所定の状態が検出された場合には、当該二次電池に対して前記所定の量の電流値よりも少ない量の電流値を用いて再度充電処理を実行する「充電処理システム」（本件訂正発明１〜３，６及び１７）、「二次電池充電装置」（本件訂正発明７〜１６）もしくは「二次電池の活性化システム」（本件訂正発明１８）において、少なくとも前の充電処理操作の終了時点と低減電流による次の充電処理操作の開始時点との間に「充電電流の供給を停止」ないしは「充電操作を停止」するが、その「充電電流の供給を停止」ないしは「充電操作を停止」している間に「当該二次電池の出力電圧低下状況を測定する場合を除く」（以下、「構成ａ」という。）ものであることを共通の構成要件とし、係る構成ａを備えることにより「二次電池に対して高速充電操作を実行しながら短時間で略満充電に近い充電状態を確実に達成させることができると同時に、過去の履歴によって不適切な出力電圧特性カーブを有する二次電池を適切な出力電圧特性カーブを有する二次電池に蘇生させることが可能であり、さらには、出力電圧特性カーブを互いに異にする複数個のセルを１つのパックに構成した二次電池に於いても、本発明に係る充電処理システムを採用することによって、当該各セルの持つ個別の出力特性カーブを、略同一の望ましい出力電圧特性カーブを持つように再生させることができる。」（特許公報１１欄５０行〜１２欄１０行）という本件特許明細書及び図面に示されている効果を奏するものであるので、以下においてはかかる構成ａに着目して独立特許要件について判断する。
　上記引用例１には、「２次電池を定電流で充電し、前記２次電池の充電電圧を検出し、前記２次電池の充電電圧が所定の電圧に達したとき、前記定電流の前記２次電池への供給を間欠的に行」うものが記載されているが、少なくとも「前記定電流を供給していない状態における前記２次電池の充電電圧が、所定の基準電圧になったとき、充電を停止する」（上記「(1-1)」、「(1-2)」、「(1-4)」及び「(1-5)」を参照）ことないしは「前記定電流を実質的に供給していない状態における前記２次電池の充電電圧、充電中における前記２次電池の充電電圧と前記定電流を実質的に供給していない状態における前記２次電池の充電電圧との差、および前記定電流を実質的に供給していない状態における前記２次電池の充電電圧と所定の基準電圧との差のうちの少なくともいずれか１つが所定の値になったとき、充電を停止」（上記「(1-3)」及び「(1-6)」参照）することを構成要件としており、定電流を供給しない状態での二次電池の出力電圧を測定し、その出力電圧に従って所定の処理操作を行っているから、上記構成ａを備えていないことは明らかである。
　したがって、本件訂正発明１〜３，６〜１８は、上記引用例１に記載された発明とは別異のものである。
　また、上記引用例２には、定電流で充電して充電電圧がある一定値に達した場合に、充電電流を予め決めたパターンに従って階段状に減衰させることが示されてはいるが、少なくとも充電電流を予め決めたパターンに従って階段状に減衰させる間に「充電電流の供給を停止」ないしは「充電操作を停止」することを示唆する記載はない。
　また、上記引用例３には、定電流充電の後に同一の定電流値で間欠充電することが示されてはいるが、定電流で間欠充電する際に電流値を変えることを示唆する記載はない。
　また、上記引用例４には、「被充電電池の電池電圧が第１の電圧に達するまでの定電流充電または準定電流充電と、前記電池電圧が前記第１の電圧から第２の電圧に低下するまでの充電休止とを繰り返し行」うことが示されてはいるが、繰り返し行う定電流充電は一定の定電流値で行われると共に、充電休止中に電池電圧の低下状況を測定しているから、定電流で間欠充電する際に電流値を変えること及び上記構成ａが示されているとは認められない。
　また、上記引用例５には、定電流充電の後に充電電流値を減じながら間欠的に充電を行うものが示されてはいるが、間欠充電の間隔は充電電流が流れなくなったときの蓄電池１６の端子電圧によって変化することが示されており（上記「(5-1)」参照）、実質的に充電電流が流れなくなったときには蓄電池１６の端子電圧によって間欠充電の間隔を制御しているものに他ならないから、上記構成ａが示唆されているとすることはできない。
　また、上記引用例６には、定電流充電の後に、同一の定電流値で間欠的に定電流充電を行って、平均電流値が段階的に減少するようになした例が示されているが、定電流で間欠充電する際に電流値を変えることを示唆する記載はない。
　さらに、上記引用例７には、所定の充電電圧に到達するまで定電流Ｉｂで充電し，その後定電圧ＶＳＡＴ２で充電を瞬断させながら充電し、瞬断時における上記二次電池の電圧の低下量を監視し，その二次電池の上記電圧低下量に基づいて上記二次電池の充電状態を監視するものが示されているが、二次電池の瞬断時の電池電圧の変化を測定しているから、上記構成ａが示唆されているとは認められないし、しかも、充電電流を如何なるタイミングないしは間隔でオン・オフさせるかについて示唆する記載もない。
　してみれば、上記引用例１〜７のいずれにも上記構成ａを示唆する記載はないから、上記引用例１〜７の記載を総合して勘案したところで、本件訂正発明１〜３，６〜１８を想到することが当業者にとり容易であるとすることはできない。
２．４．２　本件訂正発明４及び５について
　本件訂正発明４及び５は、二次電池の充電特性を検出しながら二次電池を充電するに際し、少なくとも２Ｃ若しくはそれ以上の所定の量の高速充電電流値を用いて充電処理を実行し、該充電工程に於いて、当該二次電池に関する予め定められた所定の状態が検出された場合には、一旦当該充電操作を短時間停止する第１の工程と、当該二次電池に対して前記充電電流の所定の量の電流値よりも少ない量の電流値を用いて再度充電処理を実行し、該充電工程に於いて、当該二次電池に関する予め定められた所定の状態が検出された場合には、当該充電操作を短時間停止する第２の工程とを含み、且つ必要に応じて該第２の工程が必要回数繰り返される「充電処理システム」において、「前記第１の工程に於ける充電操作の停止回数を含めて、当該充電操作の総停止回数が、予め定められた所定の回数（Ｍ）に到達した場合に、当該二次電池が、実質的に充電が完了したと見なして該充電操作を完全に終了させる」（以下、「構成ｂ」という。）ことを共通の構成とし、係る構成ｂを備えることにより本件訂正発明１〜３，６〜１８について述べたと同様の効果を奏するものであるので、以下において係る構成ｂに着目して独立特許要件について判断する。
　上記引用例１には「２次電池を定電流で充電し、前記２次電池の充電電圧を検出し、前記２次電池の充電電圧が所定の電圧に達したとき、前記定電流の前記２次電池への供給を間欠的に行」うものが示されてはいるが、少なくとも充電操作の停止回数を基に充電終了時点を検知して充電操作を完全に終了させることを示唆する記載はない。
　したがって、上記引用例１には上記構成ｂを示唆する記載はないから、本件訂正発明４及び５は上記引用例１に記載された発明とは別異のものである。
　また、上記引用例３には定電流充電の後に同一の定電流値で間欠充電することが、上記引用例４には「被充電電池の電池電圧が第１の電圧に達するまでの定電流充電または準定電流充電と、前記電池電圧が前記第１の電圧から第２の電圧に低下するまでの充電休止とを繰り返し行」うものが、上記引用例５には定電流充電の後に充電電流値を減じながら間欠的に定電流充電を行うものが、上記引用例６には、定電流充電の後に、同一の定電流値で間欠的に定電流充電を行って、平均電流値が段階的に減少するようになした例が、さらに、上記引用例７には、所定の充電電圧に到達するまで定電流Ｉｂで充電し，その後定電圧ＶＳＡＴ２で充電を瞬断させながら充電するものが、それぞれ示されてはいるが、上記引用例３〜７には少なくとも充電操作の停止回数を基に充電終了時点を検知して充電操作を完全に終了させることを示唆する記載はない。
　なお、上記引用例２には、定電流で充電して充電電圧がある一定値に達した場合に充電電流を予め決めたパターンに従って階段状に減衰させることが示されてはいるが、少なくとも充電電流を予め決めたパターンに従って階段状に減衰させる間に「充電操作を停止」することを示唆する記載はない。
　してみれば、上記引用例１〜７のいずれにも上記構成ｂを示唆する記載はないから、上記引用例１〜７の記載を総合して勘案したところで、本件訂正発明４及び５を想到することが当業者にとり容易であるとすることはできない。
２．４．３　本件発明１９について
　本件発明１９は、二次電池の充電特性を検出しながら、少なくとも所定の量の充電電流値を使用して二次電池を充電する充電方法に於いて、当該二次電池の電池電圧を測定して当該二次電池の充電量を決定するに際し、「二次電池に対して所定の量の電流値を有する電流を用いて充電処理を実行し、所定の時間毎、或いは当該二次電池に関する予め定められた所定の状態が検出された時点毎に、充電電流の供給を停止し、その時点及び当該時点から極短時間後の時点に於ける当該二次電池の電池電圧を測定して当該二次電池の電池電圧値の収斂値を予測し、当該収斂予測電池電圧値に基づいて当該二次電池の充電量を決定する」（以下、「構成ｃ」という。）点に特徴を有する「二次電池に於ける充電量決定システム」の発明であり、係る構成ｃを備えることにより「真の電圧値Ｖｔｒに近似した略同一の電圧レベルに収斂する」迄にかかる時間ｔ２よりも短時間のｔ１で収斂する電圧レベルを予測できる（特許公報２９欄【０１０７】の記載及び１９頁の【図１９】の記載を参照）という効果を奏するものである。
　一方、上記引用例１には、「２次電池を定電流で充電し、前記２次電池の充電電圧を検出し、前記２次電池の充電電圧が所定の電圧に達したとき、前記定電流の前記２次電池への供給を間欠的に行」う「二次電池の充電方法および装置」において、少なくとも「前記定電流を供給していない状態における前記２次電池の充電電圧が、所定の基準電圧になったとき、充電を停止する」（上記「(1-1)」、「(1-2)」、「(1-4)」及び「(1-5)」を参照）ものないしは「前記定電流を実質的に供給していない状態における前記２次電池の充電電圧、充電中における前記２次電池の充電電圧と前記定電流を実質的に供給していない状態における前記２次電池の充電電圧との差、および前記定電流を実質的に供給していない状態における前記２次電池の充電電圧と所定の基準電圧との差のうちの少なくともいずれか１つが所定の値になったとき、充電を停止」（上記「(1-3)」及び「(1-6)」参照）するものが記載されているが、「前記定電流を実質的に供給していない状態における前記２次電池の充電電圧」は、上記「(1-7)」の記載に照らすと、「前記定電流を実質的に供給していない状態」となっている状態で平衡状態に達した時点での「前記２次電池の充電電圧」であると認められるから、上記構成ｃとは全く相違している。
　したがって、本件訂正発明１９は上記引用例１に記載された発明とは別異のものである。
　また、上記引用例４には、「被充電電池の電池電圧が第１の電圧に達するまでの定電流充電または準定電流充電と、前記電池電圧が前記第１の電圧から第２の電圧に低下するまでの充電休止とを繰り返し行」うものが示されてはいるが、「第２の電圧」は予め定めた一定の電圧であるし、しかも、充電量がどの程度であるかを求めることを示唆する記載もない。
　また、上記引用例５には、定電流充電の後に充電電流値を減じながら間欠的に充電を行い、間欠充電の間隔を充電電流が流れなくなったときの蓄電池１６の端子電圧によって変化させることが示されている（上記「(5-1)」参照）が、充電電流が流れなくなった時点に於ける蓄電池１６の端子電圧とその時点から短時間後の時点に於ける蓄電池１６の端子電圧とから当該二次電池の電池電圧の収斂値を予測すること及び充電電流が流れなくなったときの蓄電池１６の端子電圧を利用して充電量がどの程度であるかを求めることを示唆する記載はない。
　また、上記引用例７には、所定の充電電圧に到達するまで定電流Ｉｂで充電し，その後定電圧ＶＳＡＴ２で充電を瞬断させながら充電し、瞬断時における上記二次電池の電圧の低下量を監視し，その二次電池の上記電圧低下量に基づいて上記二次電池の充電状態を監視するものが示されているが、瞬断時における上記二次電池の電圧の低下量の監視は、上記「(7-4)」及び「(7-5)」の記載に照らせば、充電電流をオフにした時点の二次電池の電池電圧とその時点から所定の時間後の二次電池の電池電圧との差そのものであるから、「充電電流の供給を停止し、その時点及び当該時点から極短時間後の時点に於ける当該二次電池の電池電圧を測定して当該二次電池の電池電圧値の収斂値を予測」することとは明確に相違している。
　なお、上記引用例２には、定電流で充電して充電電圧がある一定値に達した場合に充電電流を予め決めたパターンに従って階段状に減衰させることが示されてはいるが、少なくとも充電電流を予め決めたパターンに従って階段状に減衰させる間に「充電操作を停止」することを示唆する記載はないし、また、上記引用例３には定電流充電の後に同一の定電流値で間欠充電することが、さらに、上記引用例６には定電流充電の後に、同一の定電流値で間欠的に定電流充電を行って平均電流値が段階的に減少するようになした例が、それぞれ示されてはいるが、充電を停止している間に二次電池の電池電圧を測定することを示唆する記載はない。
　してみれば、上記引用例１〜７のいずれにも上記構成ｃを示唆する記載はないから、上記引用例１〜７の記載を総合して勘案したところで、本件訂正発明１９を想到することが当業者にとり容易であるとすることはできない。
３．まとめ
　以上のとおりであるから、上記訂正は、平成６年改正法附則第６条第１項の規定によりなお従前の例によるとされる、平成１１年改正前の特許法第１２０条の４第３項において準用する平成６年改正法による改正前の特許法第１２６条第１項ただし書き、第２項及び第３項の規定に適合するので、当該訂正を認める。
　
IV．特許異議の申立についての判断
１．申立ての理由の概要
　申立人は、証拠として甲第１〜７号証（それぞれ順に上記引用例１〜７に該当）を提出し、本件特許の請求項１〜１９に係る発明は、甲第１号証に記載された発明であるか或いは甲第１〜７号証に記載された発明に基いて当業者が容易に発明をすることができたものであるから、該発明の特許は、特許法第２９条第１項ないしは同条第２項の規定に違反してなされたものであり、取り消されるべきものであると主張している。
２．当審の判断
２．１　本件発明
　上記「III．３．」で述べたように、上記訂正を認めるので、本件特許の請求項１〜１９に係る発明は、上記「III．２．１」に摘記した請求項１〜１９に記載されたとおりのもの（以下、各請求項に係る発明を順に「本件発明１」〜「本件発明１９」という。）である。
２．２　申立ての理由についての判断
　申立ての理由及びその申立ての理由で引用された甲第１〜７号証は、それぞれ当審における取消理由で通知した理由及び証拠として引用した引用例１〜７と同じであるから、上記「III．２．４」で述べたのと同様の理由により、本件発明１〜１９は甲第１号証に記載された発明であるとも或いは甲第１〜７号証に記載された発明であるともすることはできない。
　
Ｖ．むすび
　以上のとおりであるから、申立ての理由及び証拠によっては本件発明１〜１９についての特許を取り消すことはできない。
　また、他に本件発明１〜１９についての特許を取り消すべき理由を発見しない。
　したがって、本件発明１〜１９についての特許は拒絶の査定をしなければならない特許出願に対してされたものと認めない。
　よって、平成６年改正法附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年９月２１日（２０００．９．２１）
【訂正の要旨】
　平成１１年１１月２２日付けの訂正請求書（平成１２年７月２６日付けの「手続補正書（訂正請求書）」により補正された事項も含む。）における訂正の要旨は次のとおりである。
１．訂正事項ａ
　特許請求の範囲の減縮を目的として、特許明細書の特許請求の範囲の【請求項１】に、
（１）「当該二次電池に対して所定の量の電流値を有する電流を用いて充電処理を実行し、」（特許公報１欄３〜４行）とあるのを、「当該二次電池に対して、２Ｃ若しくはそれ以上の所定の量の高速充電電流値を有する電流を用いて充電処理を実行し、」に訂正し、
（２）「当該二次電池に関して実質的に充電終了を示す状態になる迄上記操作を繰り返す様に構成すると共に、上記各充電操作が繰り返される間に所定の待ち時間が挿入されるものである」（同公報１欄１２〜１５行）とあるのを「当該二次電池に関する予め定められた所定の状態が検出されるか否かの判断を行い、当該二次電池に関して実質的に充電終了を示す状態になる迄、上記操作を繰り返す様に構成すると共に、前の充電処理操作の終了時点と上記した充電電流の低減操作とそれに続く当該低減電流による次の充電処理操作の開始時点との間に、当該二次電池内の電極部に発生した分極状態を解消せしめる為に必要な短時間の間、当該二次電池に対する充電電流の供給を停止させる為の待ち時間が挿入される（待ち時間中に当該二次電池の出力電圧低下状況を測定する場合を除く）ものである」に訂正する。
２．訂正事項ｂ
　特許請求の範囲の減縮を目的として、特許明細書の特許請求の範囲の【請求項２】に、
（１）「当該二次電池に対して所定の量の電流値を有する第１の電流を用いて充電処理を実行する第１の期間」（同公報２欄３〜５行）とあるのを、「当該二次電池に対して２Ｃ若しくはそれ以上の所定の量の高速充電電流値を有する第１の電流を用いて充電処理を実行する第１の期間、」に訂正し、
（２）「当該各操作期間の間に所定の待ち時間が挿入されるものである」（同公報３欄３〜４行）とあるのを「上記した充電電流の低減操作と当該充電電流による充電操作に基づくその後の充電操作が繰り返される間に、当該充電電流量を切換えるに際して、当該二次電池内の電極部に発生した分極状態を解消する処理を実行する為に必要な短時間の間、当該二次電池に対する充電電流の供給を停止させる為の待ち時間が挿入される（待ち時間中に当該二次電池の出力電圧低下状況を測定する場合を除く）ものである」に訂正する。
３．訂正事項ｃ
　特許請求の範囲の減縮及び明りょうでない記載の釈明を目的として、特許明細書の特許請求の範囲の【請求項４】に、
（１）「当該二次電池に対して所定の量の電流値を有する電流を用いて充電処理を実行し、」（特許公報３欄９〜１０行）とあるのを、「当該二次電池に対して２Ｃ若しくはそれ以上の所定の量の高速充電電流値を有する電流を用いて充電処理を実行し、」に訂正し、
（２）「且つ必要に応じて該第２の工程が繰り返されて当該充電処理操作の総停止回数が、前記第１と第２の工程に於ける当該充電操作の総停止回数を含めて予め定められた所定の回数（Ｍ）に到達した場合に、当該二次電池が、実質的に充電が完了したと見なして該充電操作を終了させる」（同公報３欄１８〜２２行）とあるのを「且つ必要に応じて該第２の工程が必要回数繰り返されて前記第１の工程に於ける充電操作の停止回数を含めて、当該充電操作の総停止回数が、予め定められた所定の回数（Ｍ）に到達した場合に、当該二次電池が、実質的に充電が完了したと見なして該充電操作を完全に終了させる」に訂正する。
４．訂正事項ｄ
　特許請求の範囲の減縮を目的として、特許明細書の特許請求の範囲の【請求項６】に、
（１）「当該二次電池に対して所定の量の電流値を有する電流を用いて充電処理を実行し、」（特許公報３欄２９〜３０行）とあるのを、「当該二次電池に対して２Ｃ若しくはそれ以上の所定の量の高速充電電流値を有する電流を用いて充電処理を実行し、」に訂正し、
（２）「一旦当該充電操作を停止する第１の工程と」（同公報３欄３２〜３３行）及び「当該充電操作を停止する第２の工程」（同公報３欄３７行）とあるのをそれぞれ「一旦当該充電操作を短時間停止する（停止中に当該二次電池の出力電圧低下状況を測定する場合を除く）第１の工程と、」及び「当該充電操作を短時間停止する（停止中に当該二次電池の出力電圧低下状況を測定する場合を除く）第２の工程」に訂正する。
５．訂正事項ｅ
　特許請求の範囲の減縮を目的として、特許明細書の特許請求の範囲の【請求項７】に、
（１）「当該二次電池に対して所定の量の電流値を有する電流を用いて充電処理を実行し、」（特許公報３欄４３〜４４行）とあるのを、「当該二次電池に対して２Ｃ若しくはそれ以上の所定の量の高速充電電流値を有する電流を用いて充電処理を実行し、」に訂正し、
（２）「一旦充電操作を停止し、」（同公報３欄４６行）及び「再度充電処理を実行すると言う工程を繰り返すに際し、当該所定の量の電流値を有する電流を用いて充電処理を開始してから充電操作が停止されるまでの時間を計測し、」（同公報３欄４８行〜４欄１行）とあるのをそれぞれ「一旦充電操作を当該二次電池内の電極部に発生した分極状態を解消せしめる為に必要な短時間だけ停止し（停止中に当該二次電池の出力電圧低下状況を測定する場合を除く）、」及び「再度充電処理を実行し、該充電工程に於いて、当該二次電池に関する予め定められた所定の状態が再度検出された場合には、当該充電操作を、当該二次電池内の電極部に発生した分極状態を解消せしめる為に必要な短時間だけ停止する（停止中に当該二次電池の出力電圧低下状況を測定する場合を除く）第２の工程とを繰り返すに際し、当該所定の量の電流値を有する電流を用いて充電処理を開始してから充電操作が短時間停止されるまでの時間を計測し、」に訂正する。
６．訂正事項ｆ
　特許請求の範囲の減縮を目的として、特許明細書の特許請求の範囲の【請求項８】に、
（１）「制御手段と当該充電端子に供給される電流の量を変化させる操作を実行する際に」（同公報４欄１３〜１４行）とあるのを「制御手段と、当該二次電池に関する予め定められた所定の状態が検出された毎に、当該充電端子に当初供給される２Ｃ若しくはそれ以上の所定の量の高速充電電流量を逐次変化させる操作を実行する際に、」に訂正し、
（２）「予め定められた所定の待ち時間を挿入する」（同公報４欄１４〜１５行）とあるのを「当該二次電池内の電極部に発生した分極状態を解消せしめる為に必要な短時間だけ当該二次電池に対する充電電流の供給を停止させる為の待ち時間を挿入する（待ち時間中に当該二次電池の出力電圧低下測定する場合を除く）」に訂正する。
７．訂正事項ｇ
　特許請求の範囲の減縮を目的として、特許明細書の特許請求の範囲の【請求項１８】に、
（１）「二次電池を充電するに際し、」（同公報５欄１１行）とあるのを「２Ｃ若しくはそれ以上の所定の量の高速充電電流値を使用して二次電池を充電するに際し、」に訂正し、
（２）「前記設定された追加充電時間が経過したら」（同公報５欄３０〜３１行）とあるのを「係る操作を当該二次電池に関して実質的に充電終了を示す状態になる迄繰り返す工程、当該一の充電処理操作とそれに続く当該充電処理操作とのの間に当該二次電池の電極部に発生した分極状態を解消せしめる為に必要な短時間の間、当該二次電池に対する充電電流の供給を停止させる為の待ち時間を挿入する（待ち時間中に当該二次電池の出力電圧低下状況を測定する場合を除く）工程、及び、前記設定された追加充電時間が経過したら」に訂正する。
８．訂正事項ｈ
　特許請求の範囲の減縮及び明りょうでない記載の釈明を目的として、特許明細書の特許請求の範囲の【請求項１９】に、
（１）「二次電池を充電する方法に於いて、」（同公報５欄３４〜３５行）とあるのを「２Ｃ若しくはそれ以上の所定の量の高速充電電流値を使用して二次電池を充電する方法に於いて、」に訂正し、
（２）「所定の時間毎に充電電流の供給を停止しその時点に於ける当該二次電池の電池電圧を測定して当該二次電池の電池電圧値の収斂値を予測し、」（同公報５欄３８〜４１行）とあるのを「所定の時間毎、或いは当該二次電池に関する予め定められた所定の状態が検出された時点毎に、充電電流の供給を停止し、その時点及び当該時点から極短時間後の時点に於ける当該二次電池の電池電圧を測定して当該二次電池の電池電圧値の収斂値を予測し、」に訂正する。
（５４）【発明の名称】
充電装置及び充電処理システム
（５７）【特許請求の範囲】
　　【請求項１】　二次電池の充電特性を検出しながら二次電池を充電するに際し、当該二次電池に対して、
２Ｃ若しくはそれ以上の所定の量の高速充電電流
当該二次電池に関する予め定められた所定の状態が検出されるか否かの判断を行い、当該二次電池に関して実質的に充電終了を示す状態になる迄、上記操作を繰り返す様に構成すると共に、前の充電処理操作の終了時点と上記した充電電流の低減操作とそれに続く当該低減電流による次の充電処理操作の開始時点との間に、当該二次電池内の電極部に発生した分極状態を解消せしめる為に必要な短時間の間
二次電池に対する充電電流の供給を停止させる為の待ち時間が挿入される（待ち時間中に当該二次電池の出力電圧低下状況を測定する場合を除く）ものである事を特徴とする充電処理システム。
　　【請求項２】　二次電池の充電特性を検出しながら二次電池を充電するに際し、当該二次電池に対して
２Ｃ若しくはそれ以上の所定の量の高速充電電流値
と共に、上記した充電電流の低減操作と当該充電電流による充電操作に基づくその後の充電操作が繰り返される間に、当該充電電流量を切換えるに際して、当該二次電池内の電極部に発生した分極状態を解消する処理を実行する為に必要な短時間の間、当該二次電池に対する充電電流の供給を停止させる為の待ち時間が挿入される（待ち時間中に当該二次電池の出力電圧低下状況を測定する場合を除く）ものである事を特徴とする充電処理システム。
　　【請求項３】　当該二次電池は、一つのセル若しくは複数個のセルが組み合わされて構成されている事を特徴とする請求項１又は２記載の充電処理システム。
　　【請求項４】　二次電池の充電特性を検出しながら二次電池を充電するに際し、当該二次電池に対して
２Ｃ若しくはそれ以上の所定の量の高速充電電流値
且つ必要に応じて該第２の工程が必要回数繰り返されて前記第１の工程に於ける充電操作の停止回数を含めて、当該充電操作の総停止回数が
充電操作を完全に終了させる
　　【請求項５】　当該充電操作の総停止回数に関して、予め定められた所定の回数（Ｍ）は、２又はそれ以上の整数である事を特徴とする請求項４記載の充電処理システム。
　　【請求項６】　二次電池の充電特性を検出しながら二次電池を充電するに際し、当該二次電池に対して
２Ｃ若しくはそれ以上の所定の量の高速充電電流値
を短時間停止する（停止中
当該二次電池の出力電圧低下状況を測定する場合を除く）
充電操作を短時間停止する（停止中に当該二次電池の出力電圧低下状況を測定する場合を除く）
　　【請求項７】　当該二次電池に対して
２Ｃ若しくはそれ以上の所定の量の高速充電電流値
当該二次電池内の電極部に発生した分極状態を解消せしめる為に必要な短時間だけ停止し（停止中に当該二次電池の出力電圧低下状況を測定する場合を除く）
充電操作を、当該二次電池内の電極部に発生した分極状態を解消せしめる為に必要な短時間だけ停止する（停止中に当該二次電池の出力電圧低下状況を測定する場合を除く）
　　【請求項８】　二次電池に対する充電端子、該二次電池の充電特性を検出する充電特性を検出手段、当該充電端子に接続され、且つ所定の電流源に接続された電流量調整手段、該検出手段と該電流量調整手段とに接続され、該検出手段から出力される当該二次電池に関する予め定められた所定の状態を示す検出信号、に応答して、当該充電端子に供給される電流を停止させるか、当該充電端子に供給される電流の電流量を変化させる様に該電流量調整手段を制御する制御手段と、
当該二次電池に関する予め定められた所定の状態が検出された毎に、当該充電端子に当初供給される２Ｃ若しくはそれ以上の所定の量の高速充電電流量を逐次変化させる操作を実行する際に、当該二次電池内の電極部に発生した分極状態を解消せしめる為に必要な短時間だけ当該二次電池に対する充電電流の供給を停止させる為の待ち時間を挿入する（待ち時間中に当該二次電池の出力電圧低下状況を測定する場合を除く）
　　【請求項９】　当該二次電池充電装置に於ける該制御手段には、更に計時手段とタイマー手段とが含まれている事を特徴とする請求項８記載の二次電池充電装置。
　　【請求項１０】　当該二次電池の充電特性を検出する充電特性を検出手段には、当該二次電池の出力電圧、当該二次電池の表面温度、若しくは充電電流量の中から選択された少なくとも一つを検出する手段が含まれている事を特徴とする請求項８又は９に記載の二次電池充電装置。
　　【請求項１１】　当該制御手段は、該検出手段からの充電特性検出信号に応答して当該充電端子に供給される電流の電流量を変化させる場合には、新規に設定される充電電流の電流量を前回に於いて使用された充電電流の電流量よりも少ない値に設定する機能を有するものである事を特徴とする請求項８乃至１０の何れかに記載の二次電池充電装置。
　　【請求項１２】　該タイマー手段は、所定の電流量の充電電流による充電操作が一旦停止され、前記所定の電流量の充電電流よりも少ない電流量の充電電流による充電操作が再開される迄の間に所定の待ち時間を挿入させるものである事を特徴とする請求項９記載の二次電池充電装置。
　　【請求項１３】　該タイマー手段は、所定の電流量の充電電流による充電操作が開始されてから以後の充電処理経過時間を制限するものである事を特徴とする請求項９記載の二次電池充電装置。
　　【請求項１４】　所定の電流源は、複数個の個別電源を有している事を特徴とする請求項８乃至１３の何れかに記載の二次電池充電装置。
　　【請求項１５】　所定の電流源は、プログラマブル電源で構成されている事を特徴とする請求項８記載の二次電池充電装置。
　　【請求項１６】　所定の電流源は、固定された単一の電源で構成され、パルス電流のデューティー比を制御する事により、充電電流の電流量が調整されるものである事を特徴とする請求項８乃至１５記載の二次電池充電装置。
　　【請求項１７】　当該二次電池が、複数個のセルが組み合わされて構成されている場合、該複数個の各セルは互いに同一の公称規格容量を有するセルで構成されており、且つ各セルの内少なくとも一つのセルは、他のセルとは異なる残留容量、異なる充放電特性を有するものである事を特徴とする請求項３記載の充電処理システム。
　　【請求項１８】　二次電池の充電特性を検出しながら
２Ｃ若しくはそれ以上の所定の量の高速充電電流値を使用して
係る操作を当該二次電池に関して実質的に充電終了を示す状態になる迄繰り返す工程、当該一の充電処理操作とそれに続く当該充電処理操作との間に当該二次電池内の電極部に発生した分極状態を解消せしめる為に必要な短時間の間、当該二次電池に対する充電電流の供給を停止させる為の待ち時間を挿入する（待ち時間中に当該二次電池の出力電圧低下状況を測定する場合を除く）工程、及び
　　【請求項１９】　二次電池の充電特性を検出しながら
２Ｃ若しくはそれ以上の所定の量の高速充電電流値を使用して
或いは当該二次電池に関する予め定められた所定の状態が検出された時点毎に、充電電流の供給を停止し、その時点及び当該時点から極短時間後の時点に於ける
事を特徴とする
【発明の詳細な説明】
　【０００１】
　　【産業上の利用分野】
　本発明は、二次電池の充電処理システム及び二次電池充電装置に関するものであり、更に詳しくは二次電池における充電処理操作に於いて、当該二次電池を常に満充電に近い充電状態に達成させるともに、当該二次電池を常に効率良く作動させ、当該二次電池の寿命を長く維持させることの出来る充電処理システム及び二次電池充電装置に関するものである。
　【０００２】
　　【従来の技術】
　一般に鉛蓄電池、ニッケル−カドミウム電池、ニッケル―水素電池、ニッケル―亜鉛電池更にはリチウムイオン電池といった二次電池（セコンダリ・セル）は、その耐用期間全体を通して何度も再充電されうる。
　二次電池再充電技術の初期において、再充電作業は数時間もの時間を要していた。　つまり、従来の上記した二次電池、の再充電操作に於いては、通常では、６時間から長いものでは１６時間をかけて充電操作を実行しており、高速充電と称して比較的短時間で再充電する方法でも１乃至２時間が必要とされている。
　【０００３】
　処で、従来に於いては、係る再充電可能な電池、蓄電池、バッテリと称される二次電池を再充電して所定の目的に使用する場合、出来るだけ充電時間は、少ない方が良い事は判っているが、かかる二次電池の内部の化学反応原理に基づく温度の上昇、内部圧力の上昇と言った問題がネックとなっているので、大量の電流を短時間に電池に流して充電する事は、セルの破壊に繋がるのみでなく、当該セルの電池特性、即ち出力特性、充電特性等を劣化させる事になる事から、採用されていなかった。
　【０００４】
　然しながら、近年、かかる二次電池の需要が、各産業界の多方面で増大され、特に、工作機械の使用現場、病院等の医療機器類、移動電話等を含めた通信事業等に於いては、電源が途中で切れる事を極力嫌うと同時に高速、望ましくは瞬時の再充電可能な二次電池に対する要望が強くなって来ている。
　従って、二次電池により給電を受けている消費者向け装置が増々一般化していくにつれて、時間単位ではなく分単位で二次電池を再充電できるシステムに対する要求が生じてきた。
　【０００５】
　処で、二次電池を急速に充電することは可能であるものの、これには、蓄電池に対する不可逆的な損傷を防ぐための蓄電池再充電プロセスのより一層入念な監視及び制御が必要であり、これまでに、二次電池を急速に再充電することのできるさまざまな二次電池再充電システムが開発されてきたが、いずれも満足な結果を示していない。
　【０００６】
　例えば特公昭６２―２３５２８号及び特公昭６２―２３５２９号各公報には、ニッケル―カドミウム電池等の二次電池の再充電方法に於いて、再充電操作中に、電池の電圧波形の変化に注目し、係る電圧波形に現れる複数個の変曲点を予め記憶させておき、記憶された複数個の変曲点が、所定の順序で発生した場合に、充電操作を中断する様な方法が開示されているが、係る方法では、各種の電池のそれぞれに付いて、個別に充電操作中における電圧波形の変化を予め記録しておき、再充電を行う必要のある電池の種類に応じて、当該充電操作を実行する以前に記憶内容を当該電池に対応するものに書換える操作が必要であり、操作が煩雑となると共に、充電操作の環境、電池の履歴等によって、必ずしも、当該電池の電圧出力波形が、記憶された通りの順序や大きさ示さない場合があるので、正確な充電操作、再充電操作を行う事ができず、従って、電池の性能を劣化させずに高速充電操作を実行する事が困難で有った。
　【０００７】
　又、従来の上記した二次電池の再充電操作に於いては、通常では、６時間から長いものでは１６時間をかけて充電操作を実行しており、高速充電と称して比較的短時間で再充電する方法でも１乃至２時間が必要とされている。
　処で、従来に於いては、係る再充電可能な電池、蓄電池、バッテリと称されるものを再充電して所定の目的に使用する場合、出来るだけ充電時間は、少ない方が良い事は判っているが、かかる二次電池の内部の化学反応原理に基づく温度の上昇、内部圧力の上昇と言った問題がネックとなっているので、大量の電流を短時間に電池に流して充電する事は、セルの破壊に繋がるのみでなく、当該セルの電池特性、即ち出力特性、充電特性等を劣化させる事になる事から、採用されていなかった。
　【０００８】
　然しながら、近年、かかる二次電池の需要が、各産業界の多方面で増大され、特に、工作機械の使用現場、病院等の医療機器類、移動電話等を含めた通信事業等に於いては、電源が途中で切れる事を極力嫌うと同時に高速、望ましくは瞬時の再充電可能な二次電池に対する要望が強くなって来ている。
　処で、上記したそれぞれの二次電池に於ける充電処理操作に於いては、新たな問題が提起されて来ている。
　【０００９】
　つまり、特に高速充電を行う場合に、充電されている二次電池の出力特性、例えば、当該二次電池の出力電圧特性カーブに図６に示す様に、特異な現象が発生する。　即ち、当該二次電池が実質的に満充電される以前の充電状態に於いて、当該出力電圧特性カーブに部分的な突起部（プレピーク）が発生し、例えば従来周知のネガティブデルタＶ方式により当該二次電池の出力電圧のピークを検出して、当該二次電池の充電状態が満充電状態になったと判断して、充電操作を停止させる方式、或いは、当該二次電池の出力電圧の上昇割合を検出して、当該上昇割合が低下或いは０となった場合に二次電池の充電状態が満充電状態になったと判断して、充電操作を停止させる方式等に於いては、該プレピークに於いて、充電操作を停止する事になり、結局当該二次電池を、完全な満充電状態にする事が不可能となる。
　【００１０】
　係る原因は、図７にも示されている通り、二次電池を高速充電する場合に、必要とする充電量よりも少ない充電量で電池電圧のピークが発生すると言う基本的問題が関係しており、その程度も当該二次電池の製造条件等によってもかなり異なった状態を示す。
　従って、係る状態に於いて充電操作を実行すると、あたかも二次電池の電池の容量が小さく見えてしまい、実際の使用に際して大きな問題が発生する事になる。
　【００１１】
　かかる問題を解決する方法の一つとしては、従来に於いては、少電流で一定時間追加充電を行う方法が提案されているが、係る方法では高速充電の目的が達成されず、又一定時間無条件で充電操作を行うので、当該二次電池が過充電され、二次電池を劣化させてしまうと言う危険があった。
　又、実用的な観点から見ると、充電操作中に於いて、満充電状態になるまでの時間が待ちきれずに意識的に充電操作を中止して使用するつまり放電操作を実行させる場合が多く、或る種の二次電池に於いては、この様な二次電池の使用方法を繰り返していると、略８０％前後の充電量（充電率）に於いて上記した出力電圧特性カーブに部分的なこぶ状の突起部（プレピーク）が発生し、係るプレピークは、上記の充電処理方法を繰り返す毎に大きくなるので、上記した様な従来の充電処理方法では、充電操作が当該プレピークで停止されてしまい、電池の容量の低下として問題となってくる。
　【００１２】
　更に、一旦プレピークが発生すると、以後の充電操作に於いても、当該充電操作は該プレピークで停止されるので所謂メモリ効果が発生すると言う厄介な問題も発生していた。
　係るプレピークの発生原因は、未だ正確には解明されてはいないが、７０〜８０％の充電量近辺での電池内部のガス発生が多くなることから、内部でのガス消費率、及び電池の構成材料が原因ではないかと推測されている。
　【００１３】
　一方、二次電池の中で、製造直後の二次電池や長期間保存されていた様な二次電池の様な所謂活性化されていない二次電池を充電する場合、期待している充電特性とはかけ離れた特性を示す事がある。
　例えば、充電中の二次電池の出力電圧にピークが発生しない為、充電操作が停止してしまったり、或いは充電を停止させる事ができず過充電となり、当該二次電池にダメージを与えたり、又所定の充電時間より極端に早く当該二次電池の出力電圧特性カーブにピークが発生して充電操作が止まったりする事もある。
　【００１４】
　更に別の問題として、二次電池が単一のセルのみで構成されておらず、複数個のセルが直列に接続されて構成されている様な二次電池である場合には、上記と同様に図８に例示する様に、パック二次電池の充電特性には満充電時に発生する真のピーク値出現以前にこれと似た様なピークＰ’が発生する事が多い。
　【００１５】
　係るピークを疑似ピークＰ’と称している。係る疑似ピークの発生原因は、パックされた複数個の二次電池の充電時の出力電圧特性が、完全には同一ではなく、各セル間の残留容量或いは容量が多少とも異なっている事に起因していると考えられている。
　然も、係る疑似ピークは、以後同様の充放電操作を実行する度に、大きくなるので、ピーク検出や電圧上昇率検出により充電操作を制御する場合には大きな問題となる事は明らかである。
　【００１６】
　係る問題に対する詳細な原因は未だ解明されていないが、図９に示す様に、例えば４個の二次電池セル（Ａ，Ｂ，Ｃ，Ｄ）が直列に接続されて１つのパックを形成されており、それぞれの出力電圧特性カーブが図９（Ａ）〜図９（Ｄ）であったとすると、当該パックされた二次電池全体の出力電圧特性カーブは、例えば図９（Ｅ）に示す様なピーク部Ｐを有する形状を示し、図９（Ａ）〜図９（Ｄ）のそれぞれのセルが示す出力電圧特性カーブが合成されたものとなる。
　【００１７】
　係る疑似ピークを有する出力電圧特性カーブを持った二次電池を充電処理する場合には、真のピークが発生しない内に当該疑似ピークに於い充電操作が停止されるので、パックされた二次電池が本来持っている容量まで充電出来ないと言う問題が発生する。
　つまり、一般的には、それぞれのセル（素電池）の残留容量の違いがある程度以上になると疑似ピークが発生する事が判って来ている。
　【００１８】
　そして、それぞれのセル（素電池）の残留容量が異なる原因としては、例えば、（ａ）自己放電特性がかなり異なるセル同志をパックしてある期間保存した場合、（ｂ）充電率が異なっているセル同志をパックしたものを満充電前に充電を止め、その後放電し、この操作を繰り返した場合で、特に充電レートが大きい程顕著に現れる。（ｃ）大電流放電を行った場合、（ｄ）過放電され一部の電池が転極された場合、（ｅ）セルの寿命が異なり、ある程度以上に容量の低下したセルが含まれている場合等が考えられる。
　【００１９】
　更に、係る状態で充電した二次電池を、急速に放電処理すると一部のセルは過放電となり、当該セルの寿命を短くする事になる。
　つまり、図９（Ｅ）に示す様な出力電圧特性カーブを持った複数個のセルからなる二次電池を充電処理する場合で、当該二次電池の出力電圧の変化を検出して当該二次電池の満充電状態を検出する方法を採用して充電操作を実行する場合には、図９（Ｅ）のＸ時点で満充電が達成されたと判断され充電操作が停止されるので、セルＣは問題ないが、残りのセルＡ，Ｂ，Ｄに関しては満充電状態とならず、従って二次電池全体の必要な容量を確保する事が不可能となる。
　【００２０】
　又、急速に放電する場合には、セルＡ，Ｂ，Ｄは過放電となる危険がある。
　一方、図９（Ｅ）に示す様な出力電圧特性カーブを持った複数個のセルからなる二次電池を充電処理する場合で、当該二次電池の出力電圧のピーク値からある電圧だけ下がった時に満充電状態を検出するような所謂ネガティブデルタＶ方式を採用して充電操作を実行する場合には、図９（Ｅ）のＹ時点で満充電が達成されたと判断され充電操作が停止されるので、セルＢは問題ないが、残りのセルＡ，Ｃ，Ｄに関しては過充電状態となり、セルＡ，Ｃ，Ｄに多大のダメージを与える事になるので、当該セル本来が持っている寿命よりも短くなってしまい、更に係る状態を引き起こしたセルの為に他の未だ寿命に達していないセルがあるにも係わらず本来のパック電池の寿命を短くしてしまうと言う問題も有った。
　【００２１】
　更に、係る特性を持つ二次電池を充電処理操作するに際し、上記した様に当該疑似ピークで充電操作を停止すると、以後の充電処理操作に於いても、同様に当該疑似ピークで充電操作が停止してしまうので、二次電池の本来の充電容量を維持する事が出来ず、従って当該二次電池を有効利用する事が不可能でも有った。
　【００２２】
　更に図１０には、図８とは別の構成からなる複数個のセルからなる二次電池の出力電圧特性カーブを示したものであり、図８とは異なる疑似ピークＰ’が発生している事が判る。
　係る出力電圧特性カーブを有する二次電池を２Ｃで放電処理した場合の例が図１１に示されており、係る図１１から、図１０に示される特性を有する二次電池の放電時間が、要求される必要放電時間よりもかなり短くなっている事が理解され、従って、係る二次電池は所定のパワーを発揮出来ないものである事が理解される。
　【００２３】
　係る問題を解決する方法として、従来に於いては、１つのパックに複数個の二次電池セルを含ませる場合には、同一の公称容量を持つ二次電池セルを複数個集める事は当然としても、同一公称容量を持つセルの中でも、製造工程、製造メーカー、製造条件、製造時期等が異なると、上記した様に出力電圧特性カーブがそれぞれ異なっているので、その選択に際しては、一つ一つ当該出力電圧特性カーブを測定して、同一若しくは略互いに近似する出力電圧特性カーブを有するセルを選択して１つのパック内に組み込む操作が要求されている。
　係る方法は、セルの生産歩留りが大幅に低下すると共に、極めて複雑で長い工程が要求され、生産コストの大幅な上昇が避けられない状態であり、係る生産コストの低減が強く要求されてきている。
　【００２４】
　　【発明が解決しようとする課題】
　本発明の目的は、上記した従来技術の欠点を改良し、二次電池が、単一のセルにより構成されている場合で有っても、又複数個のセルで構成されている場合で有っても、充電処理操作に於いて、当該二次電池の満充電状態に到達する時期を正確に検出して、常時満充電状態に二次電池を充電処理する事の出来る高速充電処理システムと高速二次電池充電装置を提供するものであり、更には、過去の履歴によって不適切な出力電圧特性カーブを有する二次電池を、適切な出力電圧特性カーブを有する二次電池に蘇生させたり、出力電圧特性カーブを互いに異にする複数個のセルを１つのパックに構成した二次電池に於いても、各セルが、当該セルの持つ個別の出力電圧特性カーブを、略同一の望ましい出力電圧特性カーブを持つ様に再生させる事の出来る充電処理システム及び二次電池充電装置を提供するものである。
　【００２５】
　　【課題を解決するための手段】
　本発明は上記した目的を達成するため、基本的には、以下に記載されたような技術構成を採用するものである。
　即ち、本発明に係る充電処理システムは、二次電池の充電特性を検出しながら二次電池を充電するに際し、当該二次電池に対して、
２Ｃ若しくはそれ以上の所定の量の高速充電電流
当該二次電池に関する予め定められた所定の状態が検出されるか否かの判断を行い、当該二次電池に関して実質的に充電終了を示す状態になる迄、上記操作を繰り返す様に構成すると共に、前の充電処理操作の終了時点と上記した充電電流の低減操作とそれに続く当該低減電流による次の充電処理操作の開始時点との間に、当該二次電池内の電極部に発生した分極状態を解消せしめる為に必要な短時間の間、当該二次電池に対する充電電流の供給を停止させる為の待ち時間が挿入される（待ち時間中に当該二次電池の出力電圧低下状況を測定する場合を除く）様に構成された充電処理システムである。
　【００２６】
　本発明に係る充電処理システムのより具体的な態様としては、二次電池の充電特性を検出しながら二次電池を充電するに際し、当該二次電池に対して
２Ｃ若しくはそれ以上の所定の量の高速充電電流値
と共に、上記した充電電流の低減操作と当該充電電流による充電操作に基づくその後の充電操作が繰り返される間に、当該充電電流量を切換えるに際して、当該二次電池内の電極部に発生した分極状態を解消する処理を実行する為に必要な短時間の間、当該二次電池に対する充電電流の供給を停止させる為の待ち時間が挿入される（待ち時間中に当該二次電池の出力電圧低下状況を測定する場合を除く）様に構成された充電処理システムである。
　【００２７】
　更に、本発明に係る二次電池充電装置としては、基本的には、二次電池に対する充電端子、該二次電池の充電特性を検出する充電特性を検出手段、当該充電端子に接続され、且つ所定の電流源に接続された電流量調整手段、該検出手段と該電流量調整手段とに接続され、該検出手段から出力される当該二次電池に関する予め定められた所定の状態を示す検出信号、に応答して、当該充電端子に供給される電流を停止させるか、当該充電端子に供給される電流の電流量を変化させる様に該電流量調整手段を制御する制御手段と、
当該二次電池に関する予め定められた所定の状態が検出された毎に、当該充電端子に当初供給される２Ｃ若しくはそれ以上の所定の量の高速充電電流量を逐次変化させる操作を実行する際に、当該二次電池内の電極部に発生した分極状態を解消せしめる為に必要な短時間だけ当該二次電池に対する充電電流の供給を停止させる為の待ち時間を挿入する（待ち時間中に当該二次電池の出力電圧低下状況を測定する場合を除く）
　【００２８】
　　【作用】
　本発明に係る充電処理システム及び二次電池充電装置は、上記した様な技術構成を有しているので、二次電池に対して高速充電操作を実行しながら短時間で、略満充電に近い充電状態を確実に達成させる事が出来ると同時に、過去の履歴によって不適切な出力電圧特性カーブを有する二次電池を、適切な出力電圧特性カーブを有する二次電池に蘇生させる事が可能であり、更には、出力電圧特性カーブを互いに異にする複数個のセルを１っのパックに構成した二次電池に於いても、本発明に係る充電処理システムを採用する事によって、当該各セルの持つ個別の出力電圧特性カーブを、略同一の望ましい出力電圧特性カーブを持つ様に再生させる事が出来る。
　【００２９】
　　【実施例】
　以下に、本発明に係る充電処理システム及び二次電池充電装置の具体例の構成を図面を参照しながら詳細に説明する。
　【００３０】
　図１は、本発明に係る充電処理システムの基本的な処理手順を示すフローチャートであり、その基本的な構成は、上記した様に、二次電池の充電特性を検出しながら二次電池を充電するに際し、当該二次電池に対して所定の量の電流値を有する電流を用いて充電処理を実行し、当該二次電池に関する予め定められた所定の状態が検出された場合には、当該二次電池に対して前記所定の量の電流値よりも少ない量の電流値を有する電流を用いて再度充電処理を実行し、その後前記当該二次電池に関する予め定められた所定の状態が検出された場合には、当該二次電池に対してその直前の充電処理に於いて使用された前記所定の量の電流値よりも更に少ない量の電流値を有する電流を用いて再度充電処理を実行し、当該二次電池に関して実質的に充電終了を示す状態になる迄上記操作を繰り返す充電処理システムである。
　【００３１】
　本発明に係る上記充電処理システムに於いて、二次電池とは、鉛蓄電池、ニッケル−カドミウム電池、ニッケル―水素電池、ニッケル―亜鉛電池更にはリチウムイオン電池といった二次電池（セコンダリ・セル）を含むものであって、その耐用期間全体を通して何度も再充電されうる機能を有するものである。
　更に、本発明に於いては、充電処理される二次電池は、単一のセルで構成されているもので有っても良く、又複数個のセル群が、直列に接続された状態でパックされて１つの二次電池を構成するもので有っても良い。
　【００３２】
　又、本発明に於ける充電処理システムに於いて、二次電池の充電特性を検出するが、当該二次電池の充電特性とは特に限定されるものではないが、例えば、出力電圧、二次電池の表面温度、内部ガス発生量、充電処理中の充電電流、或いは充電時間等であり、係る特性値を時間軸に沿ってそのデータの変化をリアルタイムに測定し記録するものである。
　又、本発明に於ける充電処理システムに於いて、二次電池に関して予め定められた所定の状態を検出するものであるが、二次電池に関して予め定められた所定の状態とは、例えば、出力電圧、二次電池の表面温度、内部ガス発生量、充電処理中の充電電流、或いは充電時間等が予め定められた値に達する状態と更には、上記出力電圧特性カーブに於ける疑似ピーク若しくはプレピークの様な、二次電池に充電処理操作を実行している間に、実質的に満充電状態に到達してはいないが、満充電に到達したと判断するに十分な状態を含むものである。
　【００３３】
　更には、該二次電池の出力電圧が所定の値に到達した場合、例えば、充電電流値が、所定の値以下となるか、極端に小さくなった場合、二次電池の表面温度が急激に上昇した場合、電圧値の上昇割合が所定の値以下となった場合、電圧値の変化がなくなって出力電圧特性カーブが水平状態となった場合、更には、充電処理操作が開始されてから予め定められた所定の時間が経過しても、例えば、該出力電圧特性カーブにピーク、或いは長期の水平状態等が出現しない場合等も所定の状態をいうものと考えられる。
　【００３４】
　従って、本発明に於いて、当該出力電圧特性カーブを特性値として採用する場合には、例えば従来周知のネガティブデルタＶ方式により当該二次電池の出力電圧のピークを検出するか、或いは当該二次電池の出力電圧の上昇割合を検出して、当該上昇割合が低下或いは０となった場合を検出する事が、本発明に於ける二次電池に関して予め定められた所定の状態を検出する事の一つに該当するが、本発明に於いては係る検出方法に限定されるものではない。
　本発明に於いて、如何なる二次電池の特性値を採用し、如何なる方法、手段によりそれを検出するかは、二次電池の種類により適宜選択して使用する事が出来る。
　【００３５】
　次に、本発明に於いては、上記した様に、先ず、最初の充電処理操作に於いては、当該二次電池に供給すべき充電電流量を決定する必要がある。
　本発明に於いては、当該二次電池を短時間、好ましくは数１０分以内に充電操作を完了させる事が一つの目的となっているので、当該充電電流の電流量は、高い電流量である事が望ましい。
　【００３６】
　ここで、本発明に於いて使用される充電電流の電流量として、二次電池に関する公称規格値として一般化されている１時間当たりの最大充電電流値Ｃに対して何倍の電流を使用するかを示す値としてＣレート値（Ｃ−ｒａｔｅ）を定義し、このＣレート値を用いて表す事にしている。
　（ＪＩＳ規格Ｃ８７０５　（９）の備考参照）
　つまり、公称容量値１２００ｍＡＨの二次電池に於いて、０．１Ｃの充電電流量とは、当該二次電池に対して１時間に１２０ｍＡの電流を流す事を意味し、２Ｃとは３０分間に１２００ｍＡの電流を当該二次電池に対して流す事を意味し、又４Ｃとは１５分間に１２００ｍＡの電流を当該二次電池に対して流す事を意味するものである。
　【００３７】
　本発明に於いては、係る最初の充電処理操作に於いて、予め定められた所定の量の電流値、例えば４Ｃの充電電流量を採用した場合には、予め定められた所定の電圧が検出されたか或いは、前記したプレピーク若しくは疑似ピークが検出された時点に於いて、一旦充電処理操作を中断する。
　この時点に於いては、多くの場合、当該二次電池は、満充電状態には到達しておらず、ただ高充電電流による充電処理操作では、これ以上充電が実行されない状態になっている場合が多いことから、この時点で前記した予め定められた所定の量の電流値、例えば４Ｃの充電電流量を変化させ、再度充電処理操作を繰り返すものであって、望ましくは、再充電処理操作に使用される充電電流の電流量は、前回の充電処理操作に使用された電流量よりも少ない電流量にすることであり、一例としては、２Ｃとするか１Ｃとするかが考えられるが、本発明に於いては、特に限定されるものではなく、４Ｃよりも少ない量の電流量であれば如何なる値のものでも採用する事が可能である。
　【００３８】
　本発明に於いては、次いで、例えば２Ｃの電流量の充電電流を用いて再度充電処理操作が実行され、前回の充電処理操作と同様に、当該二次電池に関して予め定められた所定の状態を検出するものである。
　然しながら、係る再充電処理操作に於いては、再度プレピーク或いは疑似ピークが発生している場合もあり又、場合によっては、当該二次電池に於ける実質的に満充電状態が達成されている場合もあることから、検出結果に対しては、双方の状態の有無を判断する事が望ましい。
　【００３９】
　その為、該再充電処理操作に於いては、プレピーク或いは疑似ピーク又は本来のピークが検出されて当該充電処理操作が停止された場合には、特に後者の状態を検出する為に、別途、当該二次電池の出力電圧の出力レベルを検出するとか、内部ガス発生状態、二次電池の表面温度、電流量等を平行して検出して、それらを総合して当該二次電池に於ける実質的に満充電状態に達したか否かを判断する事が望ましい。
　【００４０】
　本発明に於いては、係る最初の充電処理操作に於いて、予め定められた所定の状態に到達したか否かを簡便的に判断する方法としては、例えば、各充電処理操作時に於いて、当該二次電池の出力電圧が、予め定められた所定の電圧に到達した場合か否かを検出して判断する事も可能である。
　つまり、各充電処理操作時に於いて、予め該二次電池の出力電圧が、例えば４．２Ｖになった場合には、前記した予め定められた所定の状態に到達したと判断して充電処理操作を停止させる様にしても良い。
　【００４１】
　その結果、当該再充電処理操作に於いては、当該二次電池が実質的に満充電状態に達していると判断されうる場合には、その時点で当該充電処理操作を停止させる必要があり、又当該二次電池が実質的に満充電状態に達していないと判断されうる場合には、更に、充電電流を再充電処理操作に於いて使用された充電電流の電流量よりもさらに小さな電流量を持つ充電電流に変更して、再度再充電処理操作を実行するものである。
　【００４２】
　当該再再度充電処理操作に於いても、当該二次電池が実質的に満充電状態に達していないと判断されうる場合には、上記再度充電処理操作或いは再再度充電処理操作を繰り返す事になり、当該充電処理操作は、当該二次電池が実質的に満充電状態に達していると判断されうる状態となる迄繰り返される事になる。
　本発明に於いて、当該二次電池が実質的に満充電状態に達していると判断する基準の例として、例えば、以下の様な状態が考えられる。
　【００４３】
　即ち、活性化されている二次電池を常温で充電した場合に於いて、（１）当該二次電池の公称容量値の９０％以上が確保された状態に達した場合、（２）充電処理操作終了時の二次電池の表面温度の上昇率が１５度以下の状態にある場合、（３）充電処理操作末期に於ける二次電池の端子電圧が、１セル当たり１．９Ｖ以下である場合、（４）当該二次電池に於ける充電効率が９５％以上となっている場合である。
　更には、（５）当該二次電池の出力電圧値が予め定められた所定の電圧値に到達した場合、（６）当該二次電池に対する充電処理操作が開始されてから予め定められた所定の時間が経過した場合で、上記した予め定められた所定の状態が検出されない場合等である。
　【００４４】
　本発明に於いて採用される充電電流の低減つまりステップダウンの程度、あるいはステップダウン率は、最初の充電処理操作に於いて使用された充電電流の電流量に対して、一定の割合で低減する方法で有ってもよく、又所定の電流量を順次差し引く方法で有ってもよく、更には、当該低減の割合や低減量は、各回の充電処理操作毎に一定でなくても良く、必要に応じて変化させるもので有ってもよい。
　【００４５】
　例えば、２Ｃ、１Ｃ、０．５Ｃ、０．２５Ｃの様にするか、４Ｃ、３Ｃ、２Ｃ、１Ｃの様にしても良く、４Ｃ、３Ｃ、１Ｃ、０．２５Ｃの様にしても良い。
　係る本発明の充電処理操作を実際に実行した場合の例を図２に示す。
　図２は、充電時間が３３分で、３Ｃ、１Ｃ、０．８Ｃとステップ状に充電電流の電流量をダウンさせながら繰り返し３回の充電処理操作を行ったものであり、得られた二次電池の放電特性は図２に示す様に放電時間が７９分が得られ、十分なパワーを発揮しえる二次電池で有った事示している。
　【００４６】
　つまり、本発明に係る充電処理システムの基本的な技術構成をまとめると以下の通りとなる。即ち、本発明に於いては、図７に示す様に、充電処理操作中に於ける二次電池の出力電圧特性カーブに於いてピークが発生する位置は充電電流の電流量（つまり充電レート若しくはＣレート）が高い程早く発生し、又図３に示す様に、充電効率は満充電状態付近から急激に悪くなると言う二次電池の特性を有効に利用し、（１）所定の充電レート若しくはＣレート“Ｃ”で充電停止まで待つ。　（２）次いで充電レート“Ｃ”をＣ／Ｎに下げて再度充電処理操作を行い充電停止まで待つ。（３）当該二次電池が実質的に満充電状態となるまで（２）の操作を繰り返えすものである。
　【００４７】
　即ち、本発明に於いては、（１）に於いて充電に関与した当該二次電池のセルが、充電レート“Ｃ”の下でプレピークによって仮想的な満充電状態となるか、若しくはセルが複数個組み合わされている二次電池に有っては一部のセルが充電レート“Ｃ”の下で一旦満充電状態となる。
　【００４８】
　その後、（２）に於いては、充電に関与した当該二次電池のセルが、充電レート“Ｃ”／Ｎの下でのプレピークによって再度仮想的な満充電状態となるか、本来の満充電状態となる事により充電処理操作が停止されるか、若しくはセルが複数個組み合わされている二次電池に有っては一部の非満充電状態のセルが充電レート“Ｃ”／Ｎの下で満充電状態となる事により充電処理操作が停止される。
　このステップでは、充電レート“Ｃ”／Ｎとなっているので、過充電によるセルヘのダメージは殆どなく、更に充電効率がこの時点では大幅に悪くなっているので、有効充電量は急激には増える事がない。
　尚、本発明に於ける上記Ｎの値は、整数である必要はなく、小数点を有する値で有っても良い。
　【００４９】
　従って、係る操作を繰り返す事によって、当該二次電池が単一セルの場合には、確実に満充電状態に到達出来、又セルが複数個組み合わされている二次電池に有っては、各セルは最終充電レートの下で満充電状態に到達する事が出来る。
　その結果、特に複数個のセルが組み合わされた二次電池に於いては、全てのセルが略同一状態に充電されるので、その後深い放電を行っても一部のセルが過充電状態になる事もなく、更には、従来問題となっている、係る疑似ピークを持ってしまったパック電子でも一旦本発明に係る充電処理システムにより充電処理操作を行うと各セルの出力電圧特性カーブが略同一の状態に揃えられるので、以後の充電処理操作に於いては、係る疑似ピークの発生が無くなり、効率的な充電処理操作が実行出来且つ二次電池のパワーを有効に発揮させる事が可能となる。
　【００５０】
　係る効果は、二次電池が単一のセルで構成されている場合で有っても同様に達成されるものである。
　更に、上記した本発明に係る充電処理システムの作用効果は、充電処理操作に於ける充電操作停止手段を適切に変更する事によって、前記した全ての二次電池に対して適用する事が可能であり、短時間にセルにダメージを与える事なく満充電状態にする事が出来るのである。
　【００５１】
　本発明に係る充電処理システムをより具体例に説明するならば、二次電池の充電特性を検出しながら二次電池を充電するに際し、当該二次電池に対して所定の量の電流値を有する第１の電流を用いて充電処理を実行する第１の期間、該第１の期間に於いて、当該二次電池に関する予め定められた所定の状態が検出された場合には、一旦当該充電処理操作を停止し、当該二次電池に対して前記第１の電流の所定の量の電流値よりも少ない量の電流値を有する第２の電流を用いて再度充電処理を実行する第２の期間、該第２の期間に於いて、当該二次電池に関して予め定められた所定の状態が検出された場合には、当該充電処理操作を停止し、当該二次電池に対して前記第２の電流の電流値よりも更に少ない量の電流値を有する第３の電流を用いて再度充電処理を実行する第３の期間、及び当該二次電池に関して充電終了を示す状態になる迄、前回に使用された所定の量の電流値よりも少ない量の電流値を有する電流を用いて、上記第３の期間の操作が繰り返えされる第４の期間とから構成されている充電処理システムである。
　【００５２】
　本発明に於ける充電処理システムに於いては、上記各期間に於いて一旦或る期間い於いて充電処理操作が一旦停止されて、次の期間に移る際に、充電電流の電流量つまりＣレートをステップダウンさせてから次の操作期間に移行するが、その際に、前の操作期間から次の操作期間に移る間に所定の待ち時間が挿入される事が望ましい。
　これは、通常上記充電処理操作を行うと二次電池の電極に分極が発生し、当該二次電池の出力電圧が実際の真の電圧値よりも高めになっている事が多いので、内部分極を取り除き出力電圧を安定化させてから当該出力電圧を測定する事が必要である。
　係る待ち時間としては、例えば固定的に設定する事ができ、例えば数秒とする事が出来る。
　【００５３】
　本発明に於ける上記充電処理システムに於いて、当該充電処理される二次電池が、実質的に略満充電状態となったか否かの判断をする必要があり、その為の方法の一例を前記で説明したが、係る判断をより簡便に実行するため、上記各処理期間に於ける充電処理操作の停止回数を計数しておき、予め定められた所定の回数Ｍに達した場合には、当該二次電池は、実質的に略満充電状態となったと判断して当該充電処理操作を終了する様にしても良い。
　【００５４】
　例えば、上記において、ステップダウン処理を継続させ、当該充電処理操作が３回（Ｍ＝３）停止した場合には、当該二次電池は、実質的に略満充電状態となったと判断して当該充電処理操作を終了する様にするものである。
　尚、上記の整数Ｍは、電池の種類、特性、使用環境等の相違によって任意に変更設定する事が可能である。
　本発明に於いては、当該充電処理操作の停止回数の総数Ｍは、最低２である事が好ましい。
　この事は、本発明に於いては、少なくとも充電電流を２回替えて充電処理操作を行う事が必要である事を意味する。
　【００５５】
　本発明に於いては、別の簡便方法として、該充電中の該二次電池の出力電圧値が予め定められた所定の電圧値に到達したか否かを検出する事により、当該二次電池が略満充電状態になったものと判断する様にしてもよく、更には、該充電中の該二次電池に対する充電電流の量が予め定められた値よりも小さい値になった場合或いは極端に小さい値になった場合に当該二次電池が略満充電状態になったものと判断する様にしてもよい。
　【００５６】
　又、当該二次電池に対して所定の充電処理操作を開始してから所定の時間経過しても何ら充電処理操作を停止させうる様な前記予め定められた状態が検出されなかった場合には、安全上の問題も配慮して充電処理操作を終了させる事も採用し得る。
　【００５７】
　具体的には、二次電池の充電特性を検出しながら二次電池を充電するに際し、当該二次電池に対して所定の量の電流値を有する電流を用いて充電処理を実行し、該充電工程に於いて、当該二次電池に関する予め定められた所定の状態が検出された場合には、一旦当該充電操作を停止する第１の工程と当該二次電池に対して前記充電電流の所定の量の電流値よりも少ない量の電流値を用いて再度充電処理を実行し、該充電工程に於いて、当該二次電池に関する予め定められた所定の状態が検出された場合には、当該充電操作を停止する第２の工程とを含み、且つ該第２の工程が繰り返されて当該充電操作の総停止回数が予め定められた所定の回数に到達した場合に、当該二次電池が、実質的に充電が完了したと見なして該充電操作を終了させる充電処理システムである。
　【００５８】
　尚、本発明に於いて使用される当該二次電池が、複数個のセルが組み合わされて構成されている場合、該複数個の各セルは互いに同一の公称規格容量を有するセルで構成されており、且つ各セルはその全てが同一の状態を有しているもので有っても良く、又その内の少なくとも一つのセルは、他のセルとは異なる残留容量、異なる充放電特性を有するものである。
　【００５９】
　上記した本発明に係る二次電池の充電処理システムの具体例に付いてその操作手順を図１のフローチャートに従って説明する。
　即ち、スタート後、ステップ（１）に於いて所定の充電電流の電流量（以下Ｃレートと称する）Ｃに設定して充電処理操作を開始する。
　【００６０】
　ステップ（２）に於いて、例えば当該二次電池の出力電圧特性カーブから当該二次電池に於いて予め定められた所定の状態が検出されたかどうかを判断し、ＮＯであれば、当該検出操作を繰り返し、ＹＥＳであれば、ステップ（３）に進んで当該充電処理操作を停止する。次いでステップ（４）に進み、当該停止操作の停止回数が予め定められた回数Ｍに到達したか否かが判断され、ＹＥＳであれば当該充電処理操作は終了するが、ＮＯであればステップ（５）に進んでタイマーをスタートさせステップ（６）に於いて予め定められた所定の待ち時間Ｔが経過したか否かを判断し、ＮＯであれば、当該演算操作を繰り返し、ＹＥＳであれば、当該待ち時間Ｔがタイムアップしたと判断してステップ（７）に進み、（３）に進んで、充電電流の電流量のＣレートを、現在使用しているＣレートよりも小さくしたＣレート（例えばＣ／Ｎ，Ｎは、任意の整数或いは小数点を含む任意の数値であり、又固定された値で有っても、変数で有っても良い。）を選択して決定する。
　その後ステップ（１）に戻り、新たに選択されたＣレートを持つ充電電流によって、充電処理操作を開始し、以下上記の各工程を繰り返す。
　【００６１】
　次に、上記した本発明に係る充電処理システムを実行する為の充電装置の構成の具体例に付いて図４〜図７を参照しながら説明する。
　即ち、図４は、本発明に係る充電装置１の一具体例の構成を示すブロックダイアグラムで有って、図中、二次電池２に対する充電端子３、該二次電池２の充電特性を検出する充電特性を検出手段４、５、当該充電端子３に接続され、且つ所定の電流源６に接続された電流量調整手段７、該検出手段４、５と該電流量調整手段７とに接続され、該検出手段４、５から出力される当該二次電池２の充電終了状態を示す検出信号、若しくは当該二次電池２の充電終了状態以前の状態に於いて予め定められた所定の状態を示す検出信号等に応答して、当該充電端子３に供給される電流を停止させるか、当該充電端子３に供給される電流の電流量を変化させる様に該電流量調整手段７を制御する制御手段８とから構成されている二次電池充電装置１が示されている。
　【００６２】
　本発明に係る充電装置１に於いて、該検出手段４は当該二次電池２の出力電圧特性カーブを検出する機能を有するものであり、具体的には、当該二次電池の出力電圧を抵抗Ｒ１とＲ２の接続部から分圧として取り出して、該制御手段８に設けられてＡ／Ｄコンバータ１３を介して中央演算手段ＣＰＵ９にその情報が伝達される。
　又検出手段５は当該二次電池２の表面温度を検出する機能を有するものであり、具体的には、サーミスタで構成され、その出力データは、同様に該制御手段８に設けられてＡ／Ｄコンバータ１３を介して中央演算手段ＣＰＵ９にその情報が伝達される。
　【００６３】
　該サーミスタは、当該二次電池２の表面温度を測定する為の負の温度特性を有する抵抗体で構成されているものである。
　本発明に於いては、当該検出手段は、上記検出手段４と５の少なくとも一つあれば良く、或いはそれ以外のもので有っても良く、更にはそれらの組合せで有っても勿論良い。
　又、上記の電流源６としては、プログラマブル電源が用いられており、該制御手段８からの制御信号に応答して、任意のＣレートを有する充電電流を発生させる事が可能な定電流源である。
　又、該電流量調整手段７は、該制御手段８からの信号により駆動されるドライバ用のトランジスタＱ２と該トランジスタＱ２により駆動されるスイッチングトランジスタＱ１とで構成され、該プログラマブル電源６から出力される充電電流を二次電池に供給するものである。
　【００６４】
　一方、該制御手段８は、中央演算手段としてのＣＰＵ９と該ＣＰＵ９に接続されたＡ／Ｄコンバータ１３、ＲＯＭ１１、ＲＡＭ１２、及び並列入出力（ＰＩＯ）手段１０とから構成されており、該並列入出力（ＰＩＯ）手段１０が、該電流量調整手段７とプログラマブル電源６に直接接続されている。
　ここで、ＲＯＭは、ＣＰＵ９のプログラムや各種の参照用テーブルを書き込んだり読み出したりする為の専用メモリーであり、又ＲＡＭは、ＣＰＵ９周辺装置から読み取ったデータを保存したり、演算の為の作業用等のリードライトメモリーである。
　【００６５】
　尚、該制御手段８には、更に該ＣＰＵ９と直接接続されている、ＣＰＵ９の基本動作ステップの基準信号を発生させるクロック手段１４と一定時間毎にＣＰＵ９に割り込みをかけたり、時間経過を調べたりするカウンタとしての機能を有するタイマー手段１５が接続され、当該カウンタは、例えば、前記した二次電池に充電処理操作を行うに際して、所定の充電量の充電電流を設定して充電処理操作を開始し、所定の状態が検出された場合には、当該充電処理操作を一旦停止させると言う各期間若しくは操作サイクルの開始時期と終期時期とを制御する為に使用されても良く、又当該二次電池に対する最初の充電処理操作開始時期から、最終的に当該二次電池に対する充電処理操作を終了する時期迄の期間を設定して制御する様にするもので有っても良い。
　【００６６】
　更には、本発明に係る充電装置には、エンコーダ１６を介して表示手段１７が当該ＣＰＵ９と接続されている。
　ここで、表示手段１７は、例えば７セグメントのデータを表示するもので有っても良く、エンコーダ１６は７セグメント表示器用のコードに変換する機能を有するものである。
　【００６７】
　従って、図４の充電装置に於いては、上記各期間に於いて、充電処理操作が停止される毎に、ＣＰＵ９からの指令信号に基づいて、該プログラマブル電源６から、前回に使用された充電電流のＣレートに対して、そのＣレートよりも小さいＣレートを有する充電電流を発生させ、その充電電流を以て再充電処理操作が行われる様になっている。
　【００６８】
　又、図５は、本発明に係る充電装置の他の具体例の構成を示すブロックダイアグラムであり、基本的には、図４の充電装置の構成と同一であるが、電源６が固定の定電流源であり、電流量調整手段７が、ＣＰＵ９に設けられた並列入出力（ＰＩＯ）手段１０から出力されるデューティー比を変化させたパルス信号によって駆動される様に構成されており、当該デューティー比を変える事によって、充電電流のＣレートを変更させる様に構成されているものである。
　【００６９】
　従って、最初の充電処理操作に於いては、当該並列入出力（ＰＩＯ）手段１０から出力されるパルス信号のＯＮ率が比較的大となる様に設定し、以後の充電処理操作に於いては、逐次当該パルス信号のＯＮ率を低減させる事によって、充電電流のＣレートを小さくしていく事が可能である。
　【００７０】
　次に、上記した本発明に係る充電処理システムをハードウェアで実現する場合の充電装置の具体例に付いて以下に説明する。
　図１２は、二次電池２（３．６Ｖ／７５０ｍＡの例えばリチウム−イオン電池或いは鉛電池）を使用する事を前提として設計された本発明の充電装置１の構成を示すブロックダイアグラムであり、二次電池２に対する充電端子３、該二次電池２の充電特性である出力電圧を検出する検出手段４、該検出手段４からの出力信号と、適宜の基準電圧電源２０から出力される基準電圧信号とが入力されるコンパレータ２１で構成される制御手段８とが設けられ、該制御手段８の出力がカウンタ２２で構成される電流量調整手段７に接続されており、該電流量調整手段７は該制御手段８の出力に応答して充電電流のＣレートを変更する様に動作する。
　【００７１】
　又、本具体例に於いては、複数個のそれぞれ出力電源を異にする固定電源（６−１、６−２、６−３、６−４）からなる電源群６から構成されており、該電源群６の何れかの固定電源（６−１、６−２、６−３、６−４）を該制御手段８により選択して、必要なＣレートを持つ充電電流を選択して充電処理操作を実行する様に構成されている。
　即ち、該基準電源として、例えば４．２Ｖを設定しておくことにより、それぞれの充電処理操作時に於いて、当該二次電池２からの出力電圧が、該基準電圧を越えた場合に、当該制御手段８のコンパレータ２１からＯＮ信号が出力され、電流量調整手段７に設けられたカウンタ２２のクロック信号端子ＣＬＫに入力される。
　【００７２】
　該基準電源として、４．２Ｖを設定するのは、該二次電池２の満充電状態時に於ける出力電圧が略４．２Ｖと見なされる事によるものである。
　該カウンタ２２は、クロック信号端子ＣＬＫにＯＮ信号が入力される毎に出力端子Ｑ１〜Ｑ４の順に一つずつ選択してＯＮ信号を出力する様に構成されている。
　【００７３】
　一方、電源群６に於いては、４個の固定電源６−１、６−２、６−３、６−４がそれぞれ制御トランジスタＴ１〜Ｔ４に接続され、且つ該制御トランジスタＴ１〜Ｔ４の制御端子は前記したカウンタ２２の出力端子Ｑ１〜Ｑ４にそれぞれ接続されている。
　又、電源群６に於ける４個の固定電源６−１、６−２、６−３、６−４は、それぞれ１．５ｍＡ、０．７５ｍＡ、０．３７５ｍＡ、０．１８７５ｍＡの固定電流を出力する様に設定されており、当該二次電池２に対しては、それぞれ２Ｃ、１Ｃ、０．５Ｃ、０．２５Ｃの充電電流を発生させる様に設定されている。
　【００７４】
　係る充電装置１に於いては、先ず第１の充電処理操作に於いては、固定電源６−１をカウンタ２２の出力端子Ｑ１のＯＮ信号により駆動させ２Ｃの充電電流を当該二次電池２に供給して充電処理を行い、当該二次電池の出力電圧が４．２Ｖに達した場合には、該制御手段８のコンパレータ２１からＯＮ信号が出力され、電流量調整手段７に設けられたカウンタ２２のクロック信号端子ＣＬＫに入力される事によって、カウンタ２２の出力端子Ｑ１の出力がＯＦＦとなり、出力端子Ｑ２がＯＮとなるので、今度は、固定電源６−２が選択されるので、当該二次電池には１Ｃの充電電流が供給されて第２回目の充電処理操作が開始されることになる。
　【００７５】
　以下同様にして、当該二次電池２の出力電圧が、それぞれの充電処理操作に於いて基準電圧に到達する毎に、充電電流のＣレートを順次その前の充電処理操作に於いて使用された充電電流のＣレートよりも低減させた充電電流を使用して充電処理操作を繰り返し実行し、４回の充電処理操作が終了した時点で、充電処理操作を停止する様にしたものである。
　【００７６】
　尚、上記の具体例に於いては、二次電池の出力電圧の過電圧を除去する各充電処理操作期間の間に待ち時間を挿入する操作は省略された例を示している。
　又、図１３は、本発明に係る充電装置１の他の構成例を説明するブロックダイアグラムであって、基本的な構成は図１２と同様であるが、本具体例の充電装置１に於いては鉛電池の他、ニッケル−カドミウム電池、ニッケル−水素電池、ニッケル−亜鉛電池等の二次電池（セコンダリ・セル）を使用する為に設計された本発明の充電装置１の構成を示すブロックダイアグラムであり、二次電池２に対する充電端子３と該二次電池２の充電特性である出力電圧を検出する検出手段４とが同一に構成され、該検出手段４からの出力信号は、制御手段８の出力端子Ｅ１（ＰｏｗｅｒＯｕｔ）に接続され、該制御手段８内に於いて、当該二次電池の出力電圧が所定の状態に到達したか否かが演算処理される。
　該制御手段８の出力端子（Ｐｏｗｅｒ　Ｏｕｔ）は、当然のことながら、当該二次電池２の充電電流供給端子としても機能する。
　【００７７】
　本具体例に於ける制御手段８に於いては、該二次電池２の出力電圧が、ピークを越えたかどうか、或いは該二次電池２の出力電圧の上昇率が、所定の値以下に低減されたか否かを判断して、充電処理操作を停止するか否かを決定するものであり、係る判断に基づいて、充電処理操作を停止すべき状態となった場合には、該制御手段８の端子Ｅ２（Ｃｈａｒｇｅ　Ｆｉｎｉｓｈ）から出力信号が出力される。
　又、該制御手段８の端子Ｅ３（Ｐｏｗｅｒ　Ｉｎ）に、電源手段６から所定の充電電流が入力され、又、該制御手段８の端子Ｅ４（Ｒｅｓｅｔ）は、電流量調整手段７に設けられたに設けられたカウンタ２２のクロック信号端子ＣＬＫと接続されている。
　【００７８】
　一方、本具体例に於いては、図１２に示す具体例とは異なり、該制御手段８の出力端子Ｅ２と該電流量調整手段７に設けられたに設けられたカウンタ２２のクロック信号端子ＣＬＫとの間に、ＮＯＲゲート回路２４とインバータＩＮＶ２５とが設けられており、該制御手段８の端子Ｅ２（Ｃｈａｒｇｅ　Ｆｉｎｉｓｈ）から出力される充電処理操作停止信号は、ＮＯＲゲート回路２４とインバータＩＮＶ２５を介して該カウンタ２２のクロック信号端子ＣＬＫに入力される様になっている。
　又、該インバータＩＮＶ２５から出力される充電処理操作停止信号は、該制御手段８のリセット端子Ｅ４に接続されており、該制御手段８内に於ける演算結果は、当該充電処理操作の停止信号が出力される事にリセットされる様になっている。
　【００７９】
　尚、該電流量調整手段７のカウンタ２２に於ける出力端子Ｑ１〜Ｑ３と、トランジスタＴ１０〜Ｔ１２、Ｔ２０〜Ｔ２２により制御される３個のそれぞれ出力電源を異にする固定電源（６−１、６−２、６−３）からなる電源群６との間の制御関係は、図１２と同様であるので、詳細な説明は省略する。
　尚、本具体例に於いては、３回目の充電処理操作により、固定電源６−３から出力されるＣレートの最も小さい充電電流により当該二次電池２の充電処理操作が実行された後は、該ＮＯＲゲートがディスエーブルの状態に設定されているので、制御手段８からの如何なる制御信号も該カウンタ２２のクロック信号端子ＣＬＫに入力される事がないので、充電処理操作は終了する事になる。
　【００８０】
　勿論、上記した充電装置１に於いては、該制御手段８には、更に計時手段とタイマー手段とが含まれていても良い事は言うまでもない。
　該タイマー手段は、所定の電流量の充電電流による充電操作が一旦停止され、前記所定の電流量の充電電流よりも少ない電流量の充電電流による充電操作が再開される迄の間に所定の待ち時間を挿入させるものである。
　又、前記した様に、当該二次電池の充電特性を検出する充電特性を検出手段８は、当該二次電池の出力電圧若しくは当該二次電池の表面温度を検出する手段と接続されているものである。
　【００８１】
　又、本発明に係る充電装置１に於ける当該制御手段は、上記説明より明らかな様に、該検出手段８からの充電特性検出信号に応答して当該充電端子に供給される電流の電流量を変化させる場合には、新規に設定される充電電流の電流量を前回に於いて使用された充電電流の電流量よりも少ない値に設定する機能を有するものである。
　【００８２】
　図１２に示された充電装置１を用いてリチウムイオン電池（３．６Ｖ／７５０ｍＡ）を充電処理操作した場合の例を図１４〜図１６に従って説明する。
　即ち、図１４に於けるグラフＡは、本発明に係る充電処理操作を行った場合の該二次電池２の出力電圧特性カーブを示し、又グラフＢは、本発明に係る充電処理操作を行った場合の該充電電流の電流量、つまりＣレートの変化を示している。
　【００８３】
　即ち、本発明に於いては、最初の充電処理操作（第１の期間）に於いては２Ｃの充電電流で充電処理操作を行うが、極めて早い段階で、予め定められた所定の状態である、例えばプレピーク、或いは疑似ピーク、若しくは予め設定された基準電圧が検出されて、一旦充電処理操作は停止され、次に充電電流のＣレートが１Ｃに変更されて次の充電処理操作（第２の期間）が開始されるが、多少の時間が経過した後に上記と同様の検出が行われて、充電電流のＣレートが低減され第３の充電処理操作（第３の期間）が開始され。
　以後、第３と第４の期間が繰り返され、略６０００秒で所定の充電処理操作が終了する。
　【００８４】
　図１５は、図１４で使用したものと同一のリチウムイオン電池（　３．６Ｖ／７５０ｍＡ）を使用して充電処理操作を行った場合の出力電圧特性カーブをグラフＡに示し、又は、本発明に係る充電処理操作を行った場合の該充電電流の電流量の変化をグラフＢに示してある。
　【００８５】
　即ち、従来の方法に於いては、単に充電電流は、充電処理操作を通じて同一となるように設定されているものの、充電率の上昇に従って自然発生的に減少するに過ぎないものであり、その結果、充電処理操作が満充電状態になったと判断される時点が不明瞭であるから、如何なる段階で充電処理操作を終了すべきかが一定せず、従って略１３３００秒経過時点で故意に充電処理操作を終了させたものである。
　この結果を見れば明らかな様に、従来の充電処理操作方法では、充電時間が３．８６時間と長時間掛かっており、図１４の本発明に於ける１．６時間とは著しい相違が有ることが判る。
　【００８６】
　又、図１６は、図１４の本発明による充電処理操作により処理した二次電池の放電電流を２００ｍＡとした場合の放電電圧の変化を示すグラフＣと、図１５の従来の方法により充電処理した二次電池の同様の放電電圧変化を示すグラフＤとを比較したものであり、本発明の二次電池は、従来の方法に比べて短時間の充電時間にも係わらず、従来方法と同様に満充電状態となってて充分な容量をうる事が出来る事が判る。
　【００８７】
　本発明に係る充電処理システムは、上記の技術思想の範囲内で、充電処理される二次電池の種類、特性等に応じて任意に変更する事が可能であり、その他の具体例としては、例えば、電流量が２Ｃで充電量を８０％、電流量が１Ｃで充電量を９０％、電流量が１／２Ｃで充電量を９７％、電流量が１／４Ｃで充電量を１００％充電出来る様な二次電池を以下に示す様なステップダウン方式で充電処理操作を行うと、４５．６分で１００％の充電が出来る事になる。
　【００８８】
　　　　　　　Ｃレート　　充電量（％）　　時間　　　経過時間
第１の期間　　　２Ｃ　　　　８０　　　　２４分　　　　２４分
第２の期間　　　１Ｃ　　　　９０　　　　　６分　　　　３０分
第３の期間　　１／２Ｃ　　　９７　　　　８．４分　　３８．４分
第４の期間　　１／４Ｃ　　１００　　　　７．２分　　４５．６分
　【００８９】
　従来の方法で１００％の充電をするのに要する時間は１／４Ｃでしか１００％充電が出来なかったので４時間の充電処理時間が必要となるので、本発明に於いては、従来の充電処理時間に対して約１／５の時間で充電処理が完了する事が可能となる。
　又、当該二次電池に於いて充電量（％）が９７％で良い場合には、従来の充電処理方法では２時間を必要とするのに対して、本発明の充電処理システムに於いては３８．４分と従来の充電処理時間に対して約１／３の時間で充電処理が完了する事が可能となる。
　【００９０】
　更に、当該二次電池に於いて充電量（％）が９０％で良い場合には、従来の充電処理方法では１時間を必要とするのに対して、本発明の充電処理システムに於いては３０分と従来の充電処理時間に対して約１／２の時間で充電処理が完了する事が可能となる。
　更に、二次電池を充電処理すると、前記した様にプレピークが発生し、その後の充電処理操作に於いて真のピークが発生するが、本発明に係る充電処理システムを採用して充電処理を行う事によって、略真の満充電状態まで充電処理する事が出来、又、真のピーク迄充電を行うと、プレピークが消滅し、以後の充電処理操作に於いては、プレピークが全く発生しなくなるので、その後の充電処理操作が極めて容易になり、充分なパワーを持った充電電池を得ることが可能となる。
　【００９１】
　即ち、本発明に係る充電処理システムを用いる事によって、それまでに不十分な充電処理操作を繰り返して来た二次電池でプレピークを有する二次電池を再生させる事が出来るのである。
　即ち、二次電池が、公称容量が同一である複数のセルを集合したパック電池である場合で、通常は、それぞれのセルが互いに異なる残留容量を持つか、異なるプレピーク値を持つか、異なる出力電圧特性カーブを有する場合には、それぞれの各セルのピーク値に於いてそれぞれ疑似ピークが発生し、前記した問題が発生するが、本発明に係る充電処理システムを用いる事によって、パック電池を構成する複数のセルの充電特性を揃える事が出来、それ以降の充電処理操作に於いては、全くプレピーク、疑似ピークが発生しなくなるので、パック電池を構成する複数のセルを充電器側で再生させる事が出来、その結果、複数のセルを集合したパック電池に於ける充電処理操作に於いて常に略満充電状態に充電する事が可能となるので、当該二次電池のパワーを最大限に発揮させる事が出来る。
　【００９２】
　この事は、従来複数のセルを集合させてパック電池を構成する場合、一つ一つのセルの特性を検査し、同一特性を有するセルのみを組み合わせてパック電池を構成すると言う煩雑でコストの係る作業を必要とせず、組み合わされる複数個のセルの個々の特性を気にする事なく、充電装置側で当該各セルの特性を揃える事が出来、然かも、それ以後の充電処理操作に於いては、完全充電を常時達成出来ると共に、極めて短時間に最大の出力パワーを発揮しえる二次電池の充電方法であるから、従来の充電の考え方を全く替えた画期的な充電処理システムが提供されるのである。
　【００９３】
　本発明に係る充電処理システムに於いては、上記Ｍを最低２に設定する事が望ましい。
　更に、従来に於いては、単一のセルで構成された二次電池に、満充電状態以前の状態に於いて出力電圧にピークが発生する原因として、電池内部の活性物質が充分活性化されていない為、充電電流に対して化学反応が追いつかず電池温度が上昇したり、電池電圧が上昇し極端に早くピークが発生する事が判っているが、係る問題を解決する為の、該活性物質の活性化方法としては、例えば内部の化学反応が追いつける様な小さい電流で充電し満充電状態に持っていく方法があるが、係る方法では、満充電状態になるまでにかなり長い時間がかかり、高速充電の目的が達成されないと言う問題がある。
　【００９４】
　然るに、本発明に於いては最初は大きな充電電流で充電して電池の温度が上昇する以前に、それよりも小さい充電電流に切り返ることで、電池を劣化させることなく比較的短時間で活性化を行わせる事が可能となる。
　この場合、先ず当該二次電池が、前記した様な未活性電池であるか否かの判断をする必要があり、又何をきっかけにして充電電流を切り換えるかの判断及び何時当該充電処理操作を終了させるかの判断を行う必要がある。
　先ず、当該二次電池が、未活性電池であるか否かの判断に関しては、一般的に言えば、製造直後の電池や長期間に亘たって保存されていた未活性の電池は、活性化されていなので通常１．２Ｖを越えることがない。
　従って、充電開始前の当該二次電池の出力電圧が１．２Ｖ以下であれば未活性電池であると判断出来る。
　【００９５】
　次に、充電処理システムに於いて充電処理操作に於ける充電電流の切換えをどうするかに付いては、未活性電池の充電特性には主に２種類有り、その一つは、電池電圧が上がらず平坦な特性カーブを描くものと、もう一つは、充電処理操作開始後かなり早い時点であたかも正常な電池と同じ様にピークを呈するものとがある。
　従って、この相違を念頭に於いて、例えば電圧のレベルが所定の値を越えた場合とか、所定の時間が経過した場合に充電電流の電流量を切り換える様にする事が可能である。
　【００９６】
　又、出力電圧特性カーブが平坦な特性を示すものであれば、電池をそのまま充電し続けると電池の温度はどんどん上昇してしまうので、一定時間経過後に当該充電処理操作を停止して充電電流の電流量を切り換える事が望ましい。
　つまり、未活性電池の充電は、上記した充電電流の電流量を一回だけ切り換えて充電処理操作を行う事で充分である。
　即ち、充電処理操作の停止が２回目となった時点で充電処理操作を終了する事で充分である。
　【００９７】
　又、本具体例に於いては、最初（第１回目）の充電処理操作に於いて使用された充電電流の電流量に対して第２回目の充電処理操作に於いて使用される充電電流の電流量は第１の充電処理操作に於いて使用された充電電流の電流量よりも小さくなるが、固定値とする事も出来る。
　つまり、第１回目の充電処理操作に於いて使用された充電電流の電流量がＣレートで４Ｃであっても２Ｃで有っても、第２回目の充電処理操作に於いて使用される充電電流の電流量は、例えばＣレートで０．２５Ｃに固定して充電処理操作を行う様にする事も出来る。
　【００９８】
　次に、上記した未活性二次電池の活性化処理の為の充電処理システムの操作手順の例を図１７のフローチャートを参照しながら説明する。
　即ち、スタート後、ステップ（１）に於いて二次電池の電池電圧を測定し、ステップ（２）に於いて、当該測定された二次電池の電池電圧が１セル当たり１．２Ｖ以下であるか否かが判断され、ＮＯ、即ち二次電池の電池電圧が１セル当たり１．２Ｖ以上である場合は、活性化された電池と判断して当該充電処理操作を中止するが、ＹＥＳである場合には、当該二次電池が未活性二次電池である可能性が高いと判断されるので、ステップ（３）に進んで、未活性フラグを立てる。
　【００９９】
　次いでステップ（４）に進んで、当該二次電池に対して所定の電流量つまりＣレート、例えば、４Ｃ或いは２Ｃ等、を有する充電電流を用いて充電処理操作を開始し、ステップ（５）に於いて、前記した様な方法の何れかを用いて当該二次電池が所定の状態を示した場合に、該充電処理操作を終了させる。
　次いでステップ（６）に進み、未活性フラグが立っているか否かが判断され、ＮＯであれば当該充電処理操作を終了するが、ＹＥＳであれば、ステップ（７）に進んで、充電開始からの充電処理操作終了迄の経過時間を測定し、当該充電経過時間が、本来満充電状態になる迄に必要とされる必要充電時間に対する所定の割合以下である場合、例えば当該充電経過時間が、必要充電時間に対する７５％以内で有るか否かが判断され、ＹＥＳであれば、当該二次電池は、未活性二次電池と判断され、ステップ（９）に進んで再充電時間Ｔ４を演算により求めてセットする。
　【０１００】
　尚、ステップ（７）に於いてＮＯである場合には、ステップ（８）に進み、当該二次電池の充電量が、本来満充電状態に於ける当該二次電池の充電量が所定の割合以下であるか否、例えば当該二次電池の充電量が６０％以下か否かを判断し、ＮＯであれば、当該二次電池は活性二次電池と判断され、当該充電処理操作を終了させるが、ＹＥＳであれば、上記した様にステップ（９）に進んで再充電時間Ｔ４をセットする。
　【０１０１】
　ここで、該再充電時間Ｔ４を求めるサブルーチンを図１８に示す。
　即ち、スタート後ステップ（１）に於いて、Ｔ１←Ｔ２−Ｔ３を演算する。
　ここで、Ｔ２は、完全に放電された二次電池を満充電状態にするのに要する時間を示し、又Ｔ３は、充電処理操作に於ける充電処理経過時間、即ち図１７に於けるステップ（４）とステップ（５）の間の経過時間を表わすものである。
　そして、Ｔ１は、最初に設定された充電電流の電流量Ｒｓ、例えば４Ｃ又は２Ｃにより残りの容量を充電するのに要する充電時間を表わす。
　【０１０２】
　次いでステップ（２）に進み、Ｔ４←Ｔ１×（Ｒｓ／Ｒｆ）を演算する。
　ここで、Ｒｓは活性化充電時の充電電流の電流量を示し、具体的には、例えば０．２５Ｃ（固定された値）を示す。
　又Ｔ４は、新たに設定された充電電流の電流量Ｒｓを用いて残りの容量を充電するのに要する充電時間を表わす。
　ここで、再充電時間Ｔ４が求まると該サブルーチンが終了して図１７のステップ（９）に戻る。
　【０１０３】
　ステップ（１０）に於いて、前記した新たに設定された充電電流の電流量Ｒｓに実際の充電処理操作に於ける充電電流の電流量を設定し、ステップ（１１）に於いて再充電処理操作を開始する。
　次いでステップ（１２）に進み、充電処理時間がＴ４に到達したか否かが判断され、ＮＯであれば、当該充電処理操作が継続され、ＹＥＳである場合には、当該充電処理操作が終了する。
　上記操作に於ける具体例を示すならば、Ｔ３＝１０分、Ｒｓ＝４Ｃ、Ｒｆ＝１／４Ｃとすると、Ｔ２＝１５分となり、Ｔ１＝Ｔ２−Ｔ３＝５分となる。
　従って、Ｔ４＝５×４／０．２５＝８０分となる。
　【０１０４】
　次に、上記フローチャートに於けるステップ（８）の当該二次電池の充電量の測定方法の一例を以下に説明すると、従来の充電量の測定に於いては、充電中の電池電圧を測定してその測定電圧に対応した値をそのまま当該二次電池の充電量と決定していた。
　然しながら、二次電池の充電に際して、当該二次電池の出力電圧は、一般的に以下に示す様な関係が成立している。
　つまり、充電中の二次電池の電圧Ｖｂは、
　　Ｖｂ＝Ｉ×Ｒｉｎｔ＋Ｖｐｏｌ＋Ｖｔｒ
　　ここで、Ｉは充電電流、Ｒｉｎｔは二次電池の内部直流抵抗、Ｖｐｏｌは分極による過電圧、及びＶｔｒは真の二次電池電圧をそれぞれ示すものである。
　【０１０５】
　つまり、二次電池に於ける充電中の電圧は、真の電圧Ｖｔｒに対して、分極により発生する過電圧と内部直流抵抗により発生する電圧とが加算されたものとなっており、測定直後の二次電池の電圧値に対応する値をそのまま当該二次電池の充電量とことは、かなりの誤差を含むことになり、正確な二次電池の電圧を測定し、且つ正確な充電量を測定する事が困難である。
　又、上記の分極による過電圧Ｖｐｏｌは、充電電流、充電量、電池容量、電池温度、構成材料等によって大きく変化する事が判っている。
　【０１０６】
　従って、従来の様な方法では常に過電圧を含んだ値で充電量を算出しているのでその精度はかなり悪いものとなっていた。
　一方、該過電圧は、以下の様な性質を持っている事が判明した。
　（１）温度が低い時の過電圧は大きく、高い時には小さい。
　（２）充電電流が大きいと該過電圧も大きくなる。
　（３）電流を遮断すると過電圧は徐々に下がり、その下がり方は過電圧が大きいほど急に下がる。
　（４）電流を遮断してから数十秒（例えば６０秒）後の過電圧は同じ充電量であれば電池によらず概ね一定の値に収斂する。
　【０１０７】
　即ち、図１９に示す様に、二次電池の充電中の電圧は、同一の二次電池で有っても、その条件によって異なる出力電圧特性カーブ（Ｓ１、Ｓ２、Ｓ３）をしめし、充電処理操作終了時点の時刻ｔ０に於いては、それぞれ電圧Ｖｂ１、Ｖｂ２、Ｖｂ３を示している。
　それぞれの電圧Ｖｂ１、Ｖｂ２、Ｖｂ３は、上記の様に、当該二次電池の真の電圧値Ｖｔｒよりも高いレベルを示している。
　【０１０８】
　然しながら、当該各電圧値Ｖｂ１、Ｖｂ２、Ｖｂ３は、所定の時間経過後、例えば６０秒経過後の時刻ｔ２に於いては、真の電圧値Ｖｔｒに近似した略同一の電圧レベルに収斂する。
　従って、時刻ｔ２まで当該二次電池の電圧値の測定を遅延させれば、正確な二次電池の電圧値を得る事が可能であるが、充電処理に時間がかかり過ぎ、高速充電の意味が無くなるで、本発明に於いては、例えば充電処理操作終了時点の時刻ｔ０と該時刻ｔ０から数秒、例えば５秒経過した時刻ｔ１に於ける二次電池の各電圧値を測定し、その電圧値の低下率を演算した上で、公知の統計的手法を用いて時刻ｔ２に於ける電圧値を予測し、その予測値を以て、当該二次電池の充電量を算出する様にしたものである。
　【０１０９】
　係る当該二次電池の充電量を算出する為に、上記予測電圧値に対応する二次電池の充電量を記載したルックアップテーブルを予め用意しておき、当該予測電圧値が得られたら、該ルックアップテーブルから、該二次電池の充電量を算出するものである。
　図２０は、上記ルックアップテーブルの一例を示したものである。
　尚、上記した二次電池の充電量の正確な測定方法は、上記した本発明に係る充電処理操作が一旦停止され、新たな充電量を有する充電電流が設定されて再度充電処理操作が開始される間に実行される例として説明されているが、上記二次電池の充電量の測定方法は、上記した具体例に限定されるものではなく、一般的な充電処理操作が実行されている間の如何なる時点においても、実行させることが可能である。
　【０１１０】
　つまり、上記した本発明に係る充電処理操作を含む充電処理操作に於いて、充電量を測定するに際しては、その測定時点で一旦充電電流を遮断した上で、上記した様に少なくとも２点、好ましくは３点で当該二次電池の出力電圧を測定して、その傾斜を算出し、その収斂値を予測する事により実行するものである。
　より具体的には、該充電処理操作を実行している間に予め定められた所定の時間間隔毎に、上記の測定と収斂値を予測のための演算処理とを繰り返し実行し、二次電池の充電量の予測値の制度を向上する様にしても良い。
　【０１１１】
　次に、本発明に係る二次電池の充電処理システムを使用して得られる効果を示すデータを図２１〜図３１に示す。
　図２１は、５セルが１パックを形成する二次電池に於いてその中の一つのセルだけが他の４個のセルに比べて残留容量が２０％大きいものであった場合に於ける出力電圧特性カーブを示したものであって、充電処理操作開始後約９００秒経過時点で疑似ピークＰ’が発生している事を示している。
　【０１１２】
　この二次電池に於いては、図２２に示す様に従来の方法に基づく方法で充電処理操作開始後約９００秒経過時点で、充電操作が停止してしまい、充電時間が極めて短く、従って電池の充電量も極めて僅かであった。
従って、図２３に示す様に、係る二次電池を２Ｃの放電電流で放電処理した場合には、放電時間が７５０秒と極めて短く、充分なパワーが得られなかった事が判る。
　然かも、係る従来の充電処理操作に於いては、放電特性に段部Ｄが発生するので、負荷を駆動するのにも適していない事が判る。
　【０１１３】
　一方、図２４は、図２１に於いて使用されたものと同一の二次電池を使用して本発明に係る充電処理システムにもとずいた充電処理操作を実行した場合の出力電圧特性カーブを示したものである。
　即ち、第１回目の充電処理操作に於いては、２Ｃの充電電流を用いて充電処理操作を行うが、充電処理操作開始後約７５０秒経過時点で充電処理操作が一旦停止され、６０秒の待ち時間を経過後、第２回目の充電処理操作が１Ｃの充電電流を用いて開始され２５５０秒経過時点で当該充電処理操作が終了した事を示している。
　【０１１４】
　図２５は、図２４の充電処理操作を受けた二次電池の放電特性を示したグラフであり、放電時間が１３５０秒と長くなり、充分なパワーが得る事が判る。
　然かも、係る放電特性には、図２３に示される様な段部Ｄの発生は見られない。
　【０１１５】
　図２６は、図２４により充電処理された二次電池を再び従来の方法に従って充電操作を行った場合の出力電圧特性カーブを示すものであるが、図２１に示す様な疑似ピークの発生はなく、該二次電池が、再生され、効率のよい二次電池に蘇生されたことを明らかに示している。
　【０１１６】
　図２７は、図２６で得られた充電された二次電池の放電特性を示すグラフであって、放電時間も図２５のものと同一の特性となっている事が判明する。
　次に、一つのセルからなる二次電池に於いて、同様の充電処理操作を行った場合の例を以下に示しておく。
　【０１１７】
　図３４は、一つのセルからなる二次電池を充電処理操作した場合に充電処理操作開始後約１８５０秒経過時点でプレピークＰが発生している事を示している。
　【０１１８】
　この二次電池に於いては、図２８に示す様に、従来の方法に基づく方法で充電処理操作開始後約１７５０秒経過時点で、充電処理操作が停止してしまい、充電時間が極めて短く、従って電池の充電量も極めて僅かであった。
　この二次電池に於いては、図２９に示す様に放電時間が約１４００秒と短く、充分なパワーが得られなかった事が判る。
　【０１１９】
　一方、図３０は、図２８に於いて使用されたものと同一の二次電池を使用して本発明に係る充電処理システムにもとずいた充電処理操作を実行した場合の出力電圧特性カーブを示したものである。
　即ち、第１回目の充電処理操作に於いては、２Ｃの充電電流を用いて充電処理操作を行うが、充電処理操作開始後約１４００秒経過時点で充電処理操作が一旦停止され、６０秒の待ち時間を経過後、第２回目の充電処理操作が１Ｃの充電電流を用いて開始され３１５０秒経過時点で当該充電処理操作が終了した事を示している。
　【０１２０】
　図３１は、図３０の充電処理操作を受けた二次電池の放電特性を示したグラフであり、放電時間が１８００秒と長くなっており充分なパワーが得る事が判る。
　【０１２１】
　次に、図３２は、図３０の充電処理操作を受けた二次電池を再び従来の方法に従って充電操作を行った場合の出力電圧特性カーブを示すものであるが、図２８に示す様なプレピークの発生はなく、該二次電池が、再生され、効率のよい二次電池に蘇生されたことを明らかに示している。
　図３３は、図３２で得られた充電された二次電池の放電特性を示すグラフであって、放電時間も図３１のものと同一の特性となっている事が判明する。
　【０１２２】
　　【発明の効果】
　本発明に係る充電処理システム及び充電装置を用いる事によって、二次電池が、単一のセルにより構成されている場合で有っても、又複数個のセルで構成されている場合で有っても、充電処理操作に於いて、当該二次電池の満充電状態に到達する時期を正確に検出して、常時満充電状態に二次電池を充電処理する事の出来る高速充電処理システムと高速二次電池充電装置を提供するものであり、更には、過去の履歴によって不適切な出力電圧特性カーブを有する二次電池を、適切な出力電圧特性カーブを有する二次電池に蘇生させたり、出力電圧特性カーブを互いに異にする複数個のセルを１つのパックに構成した二次電池に於いても、各セルが、当該セルの持つ個別の出力電圧特性カーブを、略同一の望ましい出力電圧特性カーブを持つ様に再生させる事の出来る充電処理システム及び二次電池充電装置を提供するものである。
【図面の簡単な説明】
　　【図１】
　図１は、本発明に係る充電処理システムの処理手順を示すフローチャートである。
　　【図２】
　図２は、本発明に係る充電処理システムの操作を示すグラフである。
　　【図３】
　図３は、二次電池の充電効率を示すグラフである。
　　【図４】
　図４は、本発明に係る二次電池の充電装置に於ける一具体例の構成を示すブロックダイアグラムである。
　　【図５】
　図５は、本発明に係る二次電池の充電装置に於ける他の具体例の構成を示すブロックダイアグラムである。
　　【図６】
　図６は、従来の二次電池の充電処理方法により得られる出力電圧特性カーブの例を示すグラフである。
　　【図７】
　図７は、従来の二次電池の充電処理方法により得られる充電量と電池電圧の関係を示すグラフである。
　　【図８】
　図８は、二次電池に於いてプレピークが発生する状態を示す出力電圧特性カーブである。
　　【図９】
　図９は、従来に於ける二次電池に於いて疑似ピークが発生する原理を説明する図である。
　　【図１０】
　図１０は、従来に於ける二次電池の充電に於いてプレピークが発生する状態を示すグラフである。
　　【図１１】
　図１１は、プレピークが発生した二次電池の放電特性を説明するグラフである。
　　【図１２】
　図１２は、本発明に係る充電装置の別の具体例の構成を示すブロックダイアグラムである。
　　【図１３】
　図１３は、本発明に係る充電装置の更に別の具体例の構成を示すブロックダイアグラムである。
　　【図１４】
　図１４は、本発明に係る充電処理システムを使用して二次電池を充電する経過をしめすグラフである。
　　【図１５】
　図１５は、従来の二次電池の充電方法により充電された二次電池の特性を示すグラフである。
　　【図１６】
　図１６は、従来の充電方法と本発明に係る充電処理システムにより充電処理された二次電池の放電特性を比較するグラフである。
　　【図１７】
　図１７は、本発明に係る充電処理システムに於いて、未活性化の二次電池の活性化充電方法の例を説明するフローチャートである。
　　【図１８】
　図１８は、図１７のフローチャートに於けるサブルーチンを説明するフローチャートである。
　　【図１９】
　図１９は、本発明に於いて二次電池の充電量を測定する方法の例を説明するグラフである。
　　【図２０】
　図２０は、本発明に於いて二次電池の充電量を測定する方法に使用されるルックアップテーブルの例を示すものである。
　　【図２１】
　図２１は、従来の二次電池に於いて疑似ピークが発生する状態を示すグラフである。
　　【図２２】
　図２２は、図２１の二次電池を従来の方法で充電処理した時の出力電圧特性カーブを示すグラフである。
　　【図２３】
　図２３は、図２２により得られた充電された二次電池の放電特性を示すグラフである。
　　【図２４】
　図２４は、図２１の二次電池を本発明に係る充電処理システムで充電した場合の出力電圧特性カーブを示すグラフである。
　　【図２５】
　図２５は、図２４により処理された二次電池の放電特性を示すグラフである。
　　【図２６】
　図２６は、図２４により処理された二次電池を再度従来の充電方法で充電処理した場合の出力電圧特性カーブを示すグラフである。
　　【図２７】
　図２７は、図２６により充電処理された二次電池の放電特性を示すグラフである。
　　【図２８】
　図２８は、従来の充電方法に於いて１セルからなる二次電池の充電経過を示すグラフである。
　　【図２９】
　図２９は、図２８により得られた充電された二次電池の放電特性を示すグラフである。
　　【図３０】
　図３０は、図２８の二次電池を本発明による充電処理システムで処理した場合の出力電圧特性カーブを示すグラフである。
　　【図３１】
　図３１は、図３０により得られた二次電池の放電特性を示すグラフである。
　　【図３２】
　図３２は、図３０により得られた充電された二次電池を再度従来の充電方法で充電処理した場合の出力電圧特性カーブを示すグラフである。
　　【図３３】
　図３３は、図３２により得られた二次電池の放電特性を示すグラフである。
　　【図３４】
　図３４は、１セルからなる二次電池を充電処理操作した場合に於けるプレピークＰが発生している状態を示すグラフである。
　　【符号の説明】
１…充電装置
２…二次電池
３…電流供給端子
４、５…二次電池特性検出手段
６…電源手段
７…電流量調整手段
８…制御手段
９…ＣＰＵ
１０…ＰＩＯ
１１…ＲＯＭ
１２…ＲＡＭ
１３…Ａ／Ｄコンバータ
１４…クロック手段
１５…タイマー手段
１６…エンコーダー
１７…表示手段